(57)【特許請求の範囲】
【請求項１】
ユーザ機器（ＵＥ）の少なくとも２つのグループを識別することと、
異なる数のアンテナポートをＵＥの前記少なくとも２つのグループにシグナリングすることと、
ＵＥの各グループのためのいくつかのアンテナポートを作成することと、ここにおいて、各アンテナポートは、いくつかの物理送信アンテナのサブセットの線形結合に対応していて、作成された前記アンテナポートの数は、ＵＥのそのグループにシグナリングされるアンテナポートの数であり、ＵＥの特定のグループのための異なるアンテナポートに採用される前記線形結合が線形独立であり、より大きい数のシグナリングされたアンテナポートをもつＵＥの前記第１のグループに対応する前記アンテナポートの線形結合は、より小さい数のアンテナポートをもつＵＥの前記第２のグループのためのアンテナポートとして使用される、
前記線形結合および遅延をＵＥの前記第１のグループに通信することと、
ＵＥの第１のグループのための各アンテナポートに関連付けられている送信アンテナの前記線形独立結合を用いて、ＵＥの前記第１のグループにシグナリングされた前記アンテナポートのそれぞれのための第１の基準信号を送信し、ＵＥの第２のグループのための各アンテナポートに関連付けられている送信アンテナの前記線形独立結合を用いて、ＵＥの前記第２のグループにシグナリングされた前記アンテナポートのそれぞれのための第２の基準信号を送信することと、
を備える、ワイヤレス通信システムにおいて使用される方法。
【請求項２】
ＵＥの異なるグループのための前記アンテナポートの一部が同じである、
請求項１に記載の方法。
【請求項３】
送信ダイバーシティを周波数ダイバーシティに変換するために前記線形結合が選択される、
請求項１に記載の方法。
【請求項４】
前記線形結合は、周波数依存性である、
請求項１に記載の方法。
【請求項５】
前記線形結合は、巡回遅延ダイバーシティ（ＣＤＤ）である、
請求項１に記載の方法。
【請求項６】
ＵＥの特定のグループのための異なるアンテナポートのために採用される前記線形結合が線形独立である、
請求項１に記載の方法。
【請求項７】
ＵＥの前記第２のグループに以前にシグナリングされた前記アンテナポートを使用して、前記基準信号、物理制御フォーマットインジケータチャネル（ＰＣＦＩＣＨ）、物理ハイブリッドＡＲＱチャネル（ＰＨＩＣＨ）、および物理ダウンリンク制御チャネル（ＰＤＣＣＨ）ならびにＰＤＳＣＨのうちの少なくとも１つをＵＥの前記グループの１つに送信することをさらに備える、
請求項１に記載の方法。
【請求項８】
ＰＣＦＩＣＨ、ＰＨＩＣＨ、ＰＤＣＣＨをＵＥの前記グループの１つに送る際にＵＥの他のグループに以前にシグナリングされた前記アンテナポートを使用することをさらに備える、
請求項１に記載の方法。
【請求項９】
基地局へのフィードバックを与えるＵＥの前記グループの１つをさらに備え、前記フィードバックは、ＵＥの他のグループの１つに属するサブセットのみに以前にシグナリングされた前記アンテナポートのための少なくとも１つのチャネル品質状態に関係する、
請求項１に記載の方法。
【請求項１０】
周波数分散型である物理ダウンリンク共有チャネル（ＰＤＳＣＨ）リソース上でＵＥへの送信をスケジュールすることと、
前記ＵＥが属しているＵＥの前記グループの１つに対応する前記アンテナポートを使用して、ＰＤＳＣＨをＵＥに送信することと、
をさらに備える、請求項１に記載の方法。
【請求項１１】
前記第２の基準信号は、ＵＥの前記グループの一つに以前にシグナリングされている少なくとも１つの対応するアンテナポートに関係する、
請求項１に記載の方法。
【請求項１２】
ＵＥの異なるグループへの前記送信された基準信号は、異なるパターン、異なるトーン密度毎リソースブロックおよび異なる周期性を有する、
請求項１１に記載の方法。
【請求項１３】
ユーザ機器（ＵＥ）の少なくとも２つのグループを識別し、
異なる数のアンテナポートをＵＥの前記少なくとも２つのグループにシグナリングし、
ＵＥの各グループのためのいくつかのアンテナポートを作成し、ここにおいて、各アンテナポートは、いくつかの物理送信アンテナのサブセットの線形結合に対応していて、作成されたアンテナポートの数は、ＵＥのそのグループにシグナリングされるアンテナポートの数であり、ＵＥの特定のグループのための異なるアンテナポートに採用される前記線形結合が線形独立であり、より大きい数のアドバタイズされたアンテナポートをもつＵＥの前記第１のグループに対応する前記アンテナポートの線形結合は、より小さい数のアンテナポートをもつＵＥの前記第２のグループのためのアンテナポートとして使用される、
前記少なくとも１つのプロセッサが前記線形結合および遅延をＵＥの前記第１のグループに通信し、
ＵＥの前記第１のグループにシグナリングされた前記アンテナポートのそれぞれのための第１の基準信号をＵＥの第１のグループのための各アンテナポートに関連付けられている送信アンテナの前記線形独立結合を用いて送信し、ＵＥの前記第２のグループにシグナリングされた前記アンテナポートのそれぞれのための第２の基準信号をＵＥの第２のグループのための各アンテナポートに関連付けられている送信アンテナの前記線形独立結合を用いて送信する、
ように構成された少なくとも１つのプロセッサと、
前記少なくとも１つのプロセッサに結合されたメモリと、
を備える、ワイヤレス通信装置。
【請求項１４】
ＵＥの異なるグループのための前記アンテナポートの一部が同じである、
請求項１３に記載のワイヤレス通信装置。
【請求項１５】
送信ダイバーシティを周波数ダイバーシティに変換するために前記線形結合が選択される、
請求項１３に記載のワイヤレス通信装置。
【請求項１６】
前記線形結合は、周波数依存性である、
請求項１３に記載のワイヤレス通信装置。
【請求項１７】
前記線形結合は、巡回遅延ダイバーシティ（ＣＤＤ）である、
請求項１３に記載のワイヤレス通信装置。
【請求項１８】
ＵＥの特定のグループのために作成された異なるアンテナポートのために採用される前記線形結合は、線形独立である、
請求項１３に記載のワイヤレス通信装置。
【請求項１９】
前記少なくとも１つのプロセッサが、ＵＥの前記第２のグループにアドバタイズ以前にシグナリングされた前記アンテナポートを使用して、前記基準信号、物理制御フォーマットインジケータチャネル（ＰＣＦＩＣＨ）、物理ハイブリッドＡＲＱチャネル（ＰＨＩＣＨ）、および物理ダウンリンク制御チャネル（ＰＤＣＣＨ）ならびにＰＤＳＣＨのうちの少なくとも１つをＵＥの前記グループの１つに送信するようにさらに構成されている、
請求項１３に記載のワイヤレス通信装置。
【請求項２０】
ＵＥの他のグループに以前にシグナリングされた前記アンテナポートを使用して、ＰＣＦＩＣＨ、ＰＨＩＣＨ、ＰＤＣＣＨをＵＥの前記グループの１つに送るように前記少なくとも１つのプロセッサがさらに構成されている、
請求項１３に記載のワイヤレス通信装置。
【請求項２１】
ＵＥの前記グループの１つからのフィードバックを与えるように前記少なくとも１つのプロセッサがさらに構成されていて、前記フィードバックは、ＵＥの他のグループの１つに属するサブセットのみに以前にシグナリングされた前記アンテナポートのための少なくとも１つのチャネル品質状態に関係する、
請求項１３に記載のワイヤレス通信装置。
【請求項２２】
周波数分散型である物理ダウンリンク共有チャネル（ＰＤＳＣＨ）リソース上でＵＥへの送信をスケジュールし、
前記ＵＥが属しているＵＥの前記グループの１つに対応する前記アンテナポートを使用して、ＰＤＳＣＨをＵＥに送信するように前記少なくとも１つのプロセッサがさらに構成されている、
請求項１３に記載のワイヤレス通信装置。
【請求項２３】
前記第２の基準信号は、ＵＥの前記グループの一つに以前にシグナリングされている少なくとも１つの対応するアンテナポートに関係する、
請求項１３に記載のワイヤレス通信装置。
【請求項２４】
ＵＥの異なるグループに送信された前記基準信号は、異なるパターン、異なるトーン密度毎リソースブロックおよび異なる周期性を有する、
請求項２３に記載のワイヤレス通信装置。
【請求項２５】
ユーザ機器（ＵＥ）の少なくとも２つのグループを識別するための手段と、
異なる数のアンテナポートをＵＥの前記少なくとも２つのグループにシグナリングするための手段と、
ＵＥの各グループのためのいくつかのアンテナポートを作成するための手段と、ここにおいて、各アンテナポートは、いくつかの物理送信アンテナのサブセットの線形結合に対応していて、作成されたアンテナポートの数は、ＵＥのそのグループにシグナリングされるアンテナポートの数であり、ＵＥの特定のグループのための異なるアンテナポートに採用される前記線形結合が線形独立であり、より大きい数のアドバタイズされたアンテナポートをもつＵＥの前記第１のグループに対応する前記アンテナポートの線形結合は、より小さい数のアンテナポートをもつＵＥの前記第２のグループのためのアンテナポートとして使用される、
前記線形結合および遅延をＵＥの前記第１のグループに通信するための手段と、
ＵＥの前記第１のグループにシグナリングされた前記アンテナポートのそれぞれのための第１の基準信号をＵＥの第１のグループのための各アンテナポートに関連付けられている送信アンテナの前記線形独立結合を用いて送信するための手段と、ＵＥの前記第２のグループにシグナリングされた前記アンテナポートのそれぞれのための第２の基準信号をＵＥの第２のグループのための各アンテナポートに関連付けられている送信アンテナの前記線形独立結合を用いて送信するための手段と、
を備える、送信アンテナの構成を最適化するワイヤレス通信装置。
【請求項２６】
ＵＥの異なるグループのための前記アンテナポートの一部が同じである、
請求項２５に記載のワイヤレス通信装置。
【請求項２７】
送信ダイバーシティを周波数ダイバーシティに変換するために前記線形結合が選択される、
請求項２５に記載のワイヤレス通信装置。
【請求項２８】
前記線形結合は、周波数依存性である、
請求項２５に記載のワイヤレス通信装置。
【請求項２９】
前記線形結合は、巡回遅延ダイバーシティ（ＣＤＤ）である、
請求項２５に記載のワイヤレス通信装置。
【請求項３０】
ＵＥの特定のグループのために作成された異なるアンテナポートのために採用される前記線形結合が線形独立である、
請求項２５に記載のワイヤレス通信装置。
【請求項３１】
ＵＥの前記第２のグループに以前にシグナリングされた前記アンテナポートを使用して、前記基準信号、物理制御フォーマットインジケータチャネル（ＰＣＦＩＣＨ）、物理ハイブリッドＡＲＱチャネル（ＰＨＩＣＨ）、および物理ダウンリンク制御チャネル（ＰＤＣＣＨ）ならびにＰＤＳＣＨのうちの少なくとも１つをＵＥの前記グループの１つに送信するための手段をさらに備える、
請求項２５に記載のワイヤレス通信装置。
【請求項３２】
ＵＥの他のグループに以前にシグナリングされた前記アンテナポートを使用して、ＰＣＦＩＣＨ、ＰＨＩＣＨ、ＰＤＣＣＨをＵＥの前記グループの１つに送るための手段をさらに備える、
請求項２５に記載のワイヤレス通信装置。
【請求項３３】
ＵＥの前記グループの１つからのフィードバックを与えるための手段をさらに備え、前記フィードバックは、ＵＥの他のグループの１つに属するサブセットのみに以前にシグナリングされた前記アンテナポートのための少なくとも１つのチャネル品質状態に関係する、
請求項２５に記載のワイヤレス通信装置。
【請求項３４】
周波数分散型である物理ダウンリンク共有チャネル（ＰＤＳＣＨ）リソース上でＵＥへの送信をスケジュールするための手段と、
前記ＵＥが属しているＵＥの前記グループの１つに対応する前記アンテナポートを使用して、ＰＤＳＣＨをＵＥに送信するための手段と、
をさらに備える、請求項２５に記載のワイヤレス通信装置。
【請求項３５】
前記第２の基準信号は、ＵＥの前記グループの一つに以前にシグナリングされている少なくとも１つの対応するアンテナポートに関係する、
請求項２５に記載のワイヤレス通信装置。
【請求項３６】
ＵＥの異なるグループに送信された前記基準信号は、異なるパターン、異なるトーン密度毎リソースブロックおよび異なる周期性を有する、
請求項３５に記載のワイヤレス通信装置。
【請求項３７】
少なくとも１つのコンピュータに、ユーザ機器（ＵＥ）の少なくとも２つのグループを識別させるためのコードと、
少なくとも１つのコンピュータに、異なる数のアンテナポートをＵＥの前記少なくとも２つのグループにシグナリングさせるためのコードと、
少なくとも１つのコンピュータに、ＵＥの各グループのためにいくつかのアンテナポートを作成させるためのコードと、ここにおいて、各アンテナポートは、いくつかの物理送信アンテナのサブセットの線形結合に対応していて、作成されたアンテナポートの数は、ＵＥのそのグループにシグナリングされるアンテナポートの数であり、ＵＥの特定のグループのための異なるアンテナポートに採用されている前記線形結合が線形独立であり、より大きい数のアドバタイズされたアンテナポートをもつＵＥの前記第１のグループに対応する前記アンテナポートの線形結合は、より小さい数のアンテナポートをもつＵＥの前記第２のグループのためのアンテナポートとして使用される、
少なくとも１つのコンピュータに、前記線形結合および遅延をＵＥの前記第１のグループに通信させるためのコードと、
少なくとも１つのコンピュータに、ＵＥの前記第１のグループにシグナリングされた前記アンテナポートのそれぞれのための第１の基準信号をＵＥの第１のグループのための各アンテナポートに関連付けられている送信アンテナの前記線形独立結合を用いて送信させるためのコードと、ＵＥの前記第２のグループにシグナリングされた前記アンテナポートのそれぞれのための第２の基準信号をＵＥの第２のグループのための各アンテナポートに関連付けられている送信アンテナの前記線形独立結合を用いて送信させるためのコードと、
を格納するコンピュータプログラムを備える、
コンピュータ可読記憶媒体。
【請求項３８】
ＵＥの異なるグループのための前記アンテナポートの一部が同じである、
請求項３７に記載のコンピュータ可読記憶媒体。
【請求項３９】
送信ダイバーシティを周波数ダイバーシティに変換するために前記線形結合が選択される、
請求項３７に記載のコンピュータ可読記憶媒体。
【請求項４０】
前記線形結合が周波数依存性である、
請求項３７に記載のコンピュータ可読記憶媒体。
【請求項４１】
前記線形結合は、巡回遅延ダイバーシティ（ＣＤＤ）である、
請求項３７に記載のコンピュータ可読記憶媒体。
【請求項４２】
ＵＥの特定のグループのために作成された異なるアンテナポートのために採用される前記線形結合が線形独立である、
請求項３７に記載のコンピュータ可読記憶媒体。
【請求項４３】
前記コンピュータプログラムは、少なくとも１つのコンピュータに、ＵＥのグループにアドバタイズされた前記アンテナポートを使用して、前記基準信号、物理制御フォーマットインジケータチャネル（ＰＣＦＩＣＨ）、物理ハイブリッドＡＲＱチャネル（ＰＨＩＣＨ）、および物理ダウンリンク制御チャネル（ＰＤＣＣＨ）ならびにＰＤＳＣＨのうちの少なくとも１つをＵＥの前記グループの１つに送信させるためのコードをさらに格納する、請求項３７に記載のコンピュータ可読記憶媒体。
【請求項４４】
前記コンピュータプログラムは、少なくとも１つのコンピュータに、ＵＥの他のグループに以前にシグナリングされた前記アンテナポートを使用して、ＰＣＦＩＣＨ、ＰＨＩＣＨ、ＰＤＣＣＨをＵＥの前記グループの１つに送らせるためのコードをさらに格納する、
請求項３７に記載のコンピュータ可読記憶媒体。
【請求項４５】
前記コンピュータプログラムは、少なくとも１つのコンピュータに、ＵＥの前記グループの１つからのフィードバックを与えさせるためのコードをさらに格納する、前記フィードバックは、ＵＥの他のグループの１つに属するサブセットのみに以前にシグナリングされた前記アンテナポートのための少なくとも１つのチャネル品質状態に関係する、
請求項３７に記載のコンピュータ可読記憶媒体。
【請求項４６】
前記コンピュータプログラムは、少なくとも１つのコンピュータに、周波数分散型である物理ダウンリンク共有チャネル（ＰＤＳＣＨ）リソース上でＵＥへの送信をスケジュールさせるためのコードと、
少なくとも１つのコンピュータに、前記ＵＥが属しているＵＥの前記グループの１つに対応する前記アンテナポートを使用して、ＰＤＳＣＨをＵＥに送信させるためのコードと、
をさらに格納する、請求項３７に記載のコンピュータ可読記憶媒体。
【請求項４７】
前記第２の基準信号は、ＵＥの前記グループの１つに以前にシグナリングされた少なくとも１つの対応するアンテナポートに関係する、
請求項３７に記載のコンピュータ可読記憶媒体。
【請求項４８】
ＵＥの異なるグループに送信された前記基準信号は、異なるパターン、異なるトーン密度毎リソースブロックおよび異なる周期性を有する、
請求項４６に記載のコンピュータ可読記憶媒体。
【発明の詳細な説明】
【関連出願】
【０００１】
関連出願の相互参照  
本出願は、２００８年９月１９日に出願された「METHODS, SYSTEMS AND APPARATUS FOR REFERENCE SIGNAL DESIGN IN WIRELESS COMMUNICATION NETWORKS」と題する米国仮特許出願第６１／０９８，７３８号、および２００８年１０月２７日に出願された「METHODS, SYSTEMS AND APPARATUS FOR REFERENCE SIGNAL DESIGN IN WIRELESS COMMUNICATION NETWORKS」と題する米国仮特許出願第６１／１０８，８００号の利益を主張する。前述の出願の全体は、参照により本明細書に組み込まれる。
【技術分野】
【０００２】
以下の説明は、一般にワイヤレス通信に関し、より詳細には、ＬＴＥ  Ａにおけるレガシーユーザ機器をサポートする基準信号設計に関する。
【背景技術】
【０００３】
ワイヤレス通信システムは、様々なタイプの通信を提供するために広く展開されており、たとえば、ボイスおよび／またはデータをそのようなワイヤレス通信システムを介して提供することができる。典型的なワイヤレス通信システムまたはネットワークは、１つまたは複数の共有リソース（たとえば、帯域幅、送信電力、．．．）へのアクセスを複数のユーザに提供することができる。たとえば、システムは、周波数分割多重（ＦＤＭ）、時分割多重（ＴＤＭ）、符号分割多重（ＣＤＭ）、直交周波数分割多重（ＯＦＤＭ）などの様々な多元接続技法を使用することができる。
【０００４】
一般に、ワイヤレス多元接続通信システムは、複数のモバイルデバイスのための通信を同時にサポートすることができる。各モバイルデバイスは、順方向リンクおよび逆方向リンク上での送信を介して１つまたは複数の基地局と通信することができる。順方向リンク（またはダウンリンク）は基地局からモバイルデバイスへの通信リンクを指し、逆方向リンク（またはアップリンク）はモバイルデバイスから基地局への通信リンクを指す。
【０００５】
ワイヤレス通信システムは、しばしば、カバレージエリアを与える１つまたは複数の基地局を採用する。典型的な基地局は、ブロードキャスト、マルチキャストおよび／またはユニキャストサービス用の複数のデータストリームを送信することができ、データストリームは、モバイルデバイスの独立した受信対象となるデータのストリームとすることができる。そのような基地局のカバレージエリア内のモバイルデバイスを採用して、複合ストリームによって搬送される１つ、２つ以上、またはすべてのデータストリームを受信することができる。同様に、モバイルデバイスはデータを基地局または別のモバイルデバイスに送信することができる。
【０００６】
ワイヤレスシステム中に複数の送信アンテナを有することは、送信ダイバーシティおよび／またはより高いデータレートを得ることに役立つ。送信ダイバーシティは、信号が様々な送信アンテナを介して複数回送られるときに得られるパフォーマンス改善に関係する。主要なアイデアは、様々な送信アンテナからのチャネル利得が独立であるとき、様々な送信アンテナからユーザ機器（ＵＥ）までのチャネル利得が同時に小さくなる可能性が、送信アンテナの数が増加するにつれて指数関数的に減少することである。この場合の障害確率は近似的にｐ＾Ｎｔであり、ただし、ｐは、ただ１つの送信アンテナが使用されるときの障害確率であり、Ｎｔは、使用される送信アンテナの数である。一方、信号が同じアンテナから複数回送られ、チャネルが最初の段階で不良であった場合、残りの送信が不良である可能性があり、したがって、障害確率は（近似的に）ｐに等しいままである。
【発明の概要】
【０００７】
以下で、１つまたは複数の実施形態の基本的な理解を与えるために、そのような実施形態の簡略化された概要を提示する。この概要は、すべての企図される実施形態の包括的な概観ではなく、すべての実施形態の主要または重要な要素を識別するものでも、いずれかまたはすべての実施形態の範囲を定めるものでもない。その唯一の目的は、後で提示するより詳細な説明の導入として、１つまたは複数の実施形態のいくつかの概念を簡略化された形式で提示することである。
【０００８】
関係する態様によれば、方法は、Ｌｏｎｇ  Ｔｅｒｍ  Ｅｖｏｌｕｔｉｏｎ  Ａｄｖａｎｃｅ（ＬＴＥ  Ａ）を最適化することを容易にする。本方法は、ユーザ機器（ＵＥ）の少なくとも２つのグループを識別することを含むことができる。さらに、本方法は、異なる数のアンテナポートをＵＥの少なくとも２つのグループにシグナリングすることを含むことができる。さらに、本方法は、ＵＥの各グループに対応するアンテナポートを作成することを備えることができ、各アンテナポートは、いくつかの物理送信アンテナのサブセットを含み、アンテナポートの数は、ＵＥのそのグループにシグナリングされるアンテナポートの数である。
【０００９】
別の態様は、ワイヤレス通信装置に関する。本ワイヤレス通信装置は、ユーザ機器（ＵＥ）の少なくとも２つのグループを識別し、異なる数のアンテナポートをＵＥの少なくとも２つのグループにシグナリングし、ＵＥの各グループに対応するアンテナポートを作成するように構成された少なくとも１つのプロセッサを含み、各アンテナポートは、いくつかの物理送信アンテナのサブセットを含み、アンテナポートの数は、ＵＥのそのグループにシグナリングされるアンテナポートの数である。さらに、本ワイヤレス通信装置は、少なくとも１つのプロセッサに結合されたメモリを含むことができる。
【００１０】
さらに別の態様は、送信アンテナの構成を最適化するワイヤレス通信装置に関する。本ワイヤレス通信装置は、ユーザ機器（ＵＥ）の少なくとも２つのグループを識別するための手段を含むことができる。さらに、本ワイヤレス通信装置は、異なる数のアンテナポートをＵＥの少なくとも２つのグループにシグナリングするための手段を含むことができる。さらに、本ワイヤレス通信装置は、ＵＥの各グループに対応するアンテナポートを作成するための手段を備え、各アンテナポートは、いくつかの物理送信アンテナのサブセットを含み、アンテナポートの数は、ＵＥのそのグループにシグナリングされるアンテナポートの数である。
【００１１】
さらに別の態様は、少なくとも１つのコンピュータに、ユーザ機器（ＵＥ）の少なくとも２つのグループを識別させるためのコードと、異なる数のアンテナポートをＵＥの少なくとも２つのグループにシグナリングさせるためのコードと、ＵＥの各グループに対応するアンテナポートを作成させるためのコードと、を記憶したコンピュータ可読媒体を備えるコンピュータプログラム製品に関し、各アンテナポートは、いくつかの物理送信アンテナのサブセットを含み、アンテナポートの数は、ＵＥのそのグループにシグナリングされるアンテナポートの数である。
【００１２】
他の態様によれば、方法は、アンテナポートのセットを識別することを容易にする。本方法は、アンテナポートのセットに関係する基準信号を送信するために採用される遅延および線形結合のうちの少なくとも１つを含むマッピング情報を受信することを備えることができる。さらに、本方法は、アンテナポートに関係する基準信号を受信することを備えることができる。さらに、本方法は、各アンテナポートを識別するためにセットに関係する基準信号を復号することを含み、復号することは、マッピング情報を利用することである。
【００１３】
別の態様は、ワイヤレス通信装置に関する。本ワイヤレス通信装置は、アンテナポートのセットに関係する基準信号を送信するために採用される遅延および線形結合のうちの少なくとも１つを含むマッピング情報を受信し、アンテナポートに関係する基準信号を受信し、各アンテナポートを識別するためにセットに関係する基準信号を復号するように構成された少なくとも１つのプロセッサを含み、復号することは、マッピング情報を利用することである。さらに、本ワイヤレス通信装置は、少なくとも１つのプロセッサに結合されたメモリを含むことができる。
【００１４】
別の態様は、ワイヤレス通信環境内でアンテナポートのセットを識別するワイヤレス通信装置に関する。本ワイヤレス通信装置は、アンテナポートのセットに関係する基準信号を送信するために採用される遅延および線形結合のうちの少なくとも１つを含むマッピング情報を受信するための手段を備えることができる。さらに、本ワイヤレス通信装置は、アンテナポートに関係する基準信号を受信するための手段を備えることができる。さらに、本ワイヤレス通信装置は、各アンテナポートを識別するためにセットに関係する基準信号を復号するための手段を含み、復号することは、マッピング情報を利用することである。
【００１５】
さらに別の態様は、少なくとも１つのコンピュータに、アンテナポートのセットに関係する基準信号を送信するために採用される遅延および線形結合のうちの少なくとも１つを含むマッピング情報を受信させるためのコードと、アンテナポートに関係する基準信号を受信させるためのコードと、各アンテナポートを識別するためにセットに関係する基準信号を復号させるためのコードと、を記憶したコンピュータ可読媒体を備えるコンピュータプログラム製品に関し、復号することは、マッピング情報を利用することである。
【００１６】
他の態様によれば、方法はワイヤレス環境内で使用できる。本方法は、測定、基地局へのフィードバック、または復調技法のうちの少なくとも１つのためにＵＥの第１のグループのアンテナポートのための送信された基準信号を利用することを備えることができる。さらに、本方法は、測定および基地局へのフィードバックのためにＵＥの第２のグループのアンテナポートのための送信された基準信号を利用することを備えることができる。
【００１７】
別の態様は、ワイヤレス通信装置に関する。本ワイヤレス通信装置は、測定、基地局へのフィードバック、または復調技法のうちの少なくとも１つのためにＵＥの第１のグループのアンテナポートのための送信された基準信号を利用することと、測定および基地局へのフィードバックのためにＵＥの第２のグループのアンテナポートのための送信された基準信号を利用することとを行うように構成された少なくとも１つのプロセッサを含むことができる。さらに、本ワイヤレス通信装置は、少なくとも１つのプロセッサに結合されたメモリを含むことができる。
【００１８】
別の態様は、ワイヤレス通信装置に関する。本ワイヤレス通信装置は、測定、基地局へのフィードバック、または復調技法のうちの少なくとも１つのためにＵＥの第１のグループのアンテナポートのための送信された基準信号を利用するための手段を備えることができる。さらに、本ワイヤレス通信装置は、測定および基地局へのフィードバックのためにＵＥの第２のグループのアンテナポートのための送信された基準信号を利用するための手段を備えることができる。
【００１９】
さらに別の態様は、少なくとも１つのコンピュータに、測定、基地局へのフィードバック、または復調技法のうちの少なくとも１つのためにＵＥの第１のグループのアンテナポートのための送信された基準信号を利用させるためのコードと、測定および基地局へのフィードバックのためにＵＥの第２のグループのアンテナポートのための送信された基準信号を利用させるためのコードと、を記憶したコンピュータ可読媒体を備えるコンピュータプログラム製品に関する。
【００２０】
他の態様によれば、方法はワイヤレス環境内で使用できる。本方法は、ユーザ機器（ＵＥ）の少なくとも２つのグループを識別することを備えることができる。さらに、本方法は、ＵＥの特定のグループに対応するＵＥ固有のアンテナポートを作成することを備えることができる。本方法は、ＵＥの少なくとも１つの特定のグループに割り当てられた物理ダウンリンク共有チャネル（ＰＤＳＣＨ）領域中で、ＵＥ固有のアンテナポートに関係する少なくとも１つの基準信号を送信することを備えることができる。本方法は、ＰＤＳＣＨをＵＥの特定のグループに送信するためのビームを作成するために、ＵＥの異種グループのために規定されたそれぞれのアンテナポートとともにＵＥ固有のアンテナポートを採用することをさらに備えることができる。本方法は、ＵＥ固有のアンテナポートまたは異種アンテナポートのうちの少なくとも１つに関係する基準信号、あるいは基準信号をＰＤＳＣＨの送信のために使用されるビーム方向に関係づけるマッピング情報のうちの少なくとも１つに基づいて、アンテナポートからのチャネルを推定することを含むことができる。
【００２１】
別の態様は、ワイヤレス通信装置に関する。本ワイヤレス通信装置は、ユーザ機器（ＵＥ）の少なくとも２つのグループを識別し、ＵＥの特定のグループに対応するＵＥ固有のアンテナポートを作成し、ＵＥの少なくとも１つの特定のグループに割り当てられた物理ダウンリンク共有チャネル（ＰＤＳＣＨ）領域中で、ＵＥ固有のアンテナポートに関係する少なくとも１つの基準信号を送信し、ＰＤＳＣＨをＵＥの特定のグループに送信するためのビームを作成するために、ＵＥの異種グループのために規定されたそれぞれのアンテナポートとともにＵＥ固有のアンテナポートを採用し、ＵＥ固有のアンテナポートまたは異種アンテナポートのうちの少なくとも１つに関係する基準信号、あるいは基準信号をＰＤＳＣＨの送信のために使用されるビーム方向に関係づけるマッピング情報のうちの少なくとも１つに基づいて、アンテナポートからのチャネルを推定するように構成された少なくとも１つのプロセッサを含むことができる。さらに、本ワイヤレス通信装置は、少なくとも１つのプロセッサに結合されたメモリを含むことができる。
【００２２】
別の態様は、ワイヤレス通信装置に関する。本ワイヤレス通信装置は、ＵＥの特定のグループに対応するＵＥ固有のアンテナポートを作成するための手段を備えることができる。さらに、本ワイヤレス通信装置は、ＵＥの特定のグループに対応するＵＥ固有のアンテナポートを作成するための手段を備えることができる。さらに、本ワイヤレス通信装置は、ＵＥの少なくとも１つの特定のグループに割り当てられた物理ダウンリンク共有チャネル（ＰＤＳＣＨ）領域中で、ＵＥ固有のアンテナポートに関係する少なくとも１つの基準信号を送信するための手段を含むことができる。さらに、本ワイヤレス通信装置は、ＰＤＳＣＨをＵＥの特定のグループに送信するためのビームを作成するために、ＵＥの異種グループのために規定されたそれぞれのアンテナポートとともにＵＥ固有のアンテナポートを採用するための手段を備えることができる。さらに、本ワイヤレス通信装置は、ＵＥ固有のアンテナポートまたは異種アンテナポートのうちの少なくとも１つに関係する基準信号、あるいは基準信号をＰＤＳＣＨの送信のために使用されるビーム方向に関係づけるマッピング情報のうちの少なくとも１つに基づいて、アンテナポートからのチャネルを推定するための手段を備えることができる。
【００２３】
さらに別の態様は、少なくとも１つのコンピュータに、ユーザ機器（ＵＥ）の少なくとも２つのグループを識別させるためのコードと、ＵＥの特定のグループに対応するＵＥ固有のアンテナポートを作成させるためのコードと、ＵＥの少なくとも１つの特定のグループに割り当てられた物理ダウンリンク共有チャネル（ＰＤＳＣＨ）領域中で、ＵＥ固有のアンテナポートに関係する少なくとも１つの基準信号を送信させるためのコードと、ＰＤＳＣＨをＵＥの特定のグループに送信するためのビームを作成するために、ＵＥの異種グループのために規定されたそれぞれのアンテナポートとともにＵＥ固有のアンテナポートを採用させるためのコードと、ＵＥ固有のアンテナポートまたは異種アンテナポートのうちの少なくとも１つに関係する基準信号、あるいは基準信号をＰＤＳＣＨの送信のために使用されるビーム方向に関係づけるマッピング情報のうちの少なくとも１つに基づいて、アンテナポートからのチャネルを推定させるためのコードと、を記憶したコンピュータ可読媒体を備えるコンピュータプログラム製品に関する。
【００２４】
上記および関連する目的を達成するために、１つまたは複数の実施形態は、以下で十分に説明し、特に特許請求の範囲で指摘する特徴を備える。以下の説明および添付の図面に、１つまたは複数の実施形態のいくつかの例示的な態様を詳細に記載する。ただし、これらの態様は、様々な実施形態の原理を採用することができる様々な方法のほんのいくつかを示すものであり、説明する実施形態は、すべてのそのような態様およびそれらの均等物を含むものとする。
【図面の簡単な説明】
【００２５】
【図１】本明細書に記載の様々な態様によるワイヤレス通信システムの図。
【図２】ワイヤレス通信環境内で採用するための例示的な通信装置の図。
【図３】レガシーユーザ機器（ＵＥ）を最適化するために送信アンテナをグループ化することを容易にする例示的なワイヤレス通信システムの図。
【図４】送信アンテナを編成することを容易にする例示的なシステムの図。
【図５】Ｌｏｎｇ  Ｔｅｒｍ  Ｅｖｏｌｕｔｉｏｎ  Ａｄｖａｎｃｅ（ＬＴＥ  Ａ）を最適化することを容易にする例示的な方法の図。
【図６】送信アンテナを識別することを容易にする例示的な方法の図。
【図７】ワイヤレス通信システムにおいて送信アンテナグループを作成することを容易にする例示的なモバイルデバイスの図。
【図８】ワイヤレス通信環境において送信アンテナ利用を強化することを容易にする例示的なシステムの図。
【図９】本明細書で説明する様々なシステムおよび方法とともに採用できる例示的なワイヤレスネットワーク環境の図。
【図１０】Ｌｏｎｇ  Ｔｅｒｍ  Ｅｖｏｌｕｔｉｏｎ  Ａｄｖａｎｃｅ（ＬＴＥ  Ａ）を最適化することを容易にする例示的なシステムの図。
【図１１】ワイヤレス通信環境において送信アンテナを識別することを容易にする例示的なシステムの図。
【発明を実施するための形態】
【００２６】
次に、図面を参照しながら様々な実施形態について説明する。図面全体にわたって、同様の要素を指すのに同様の参照符号を使用する。以下の記述では、説明の目的で、１つまたは複数の実施形態の完全な理解を与えるために多数の具体的な詳細を記載する。ただし、そのような（１つまたは複数の）実施形態は、これらの具体的な詳細なしに実施できることは明らかであろう。他の例では、１つまたは複数の実施形態の説明を円滑にするために、よく知られている構造およびデバイスをブロック図の形態で示す。
【００２７】
本出願で使用する「モジュール」、「キャリア」、「システム」などの用語は、コンピュータ関連のエンティティ、すなわち、ハードウェア、ファームウェア、ハードウェアとソフトウェアの組合せ、ソフトウェア、または実行中のソフトウェアのいずれかを指すものとする。たとえば、コンポーネントは、プロセッサ上で実行されるプロセス、プロセッサ、オブジェクト、実行ファイル、実行スレッド、プログラム、および／またはコンピュータとすることができるが、これらに限定されない。例として、コンピューティングデバイス上で動作するアプリケーションと、そのコンピューティングデバイスの両方をコンポーネントとすることができる。１つまたは複数のコンポーネントがプロセスおよび／または実行スレッド内に常駐することができ、１つのコンポーネントを１つのコンピュータ上に配置し、および／または２つ以上のコンピュータ間に分散することができる。さらに、これらのコンポーネントは、様々なデータ構造を記憶している様々なコンピュータ可読媒体から実行することができる。これらのコンポーネントは、１つまたは複数のデータパケット（たとえば、ローカルシステム、分散システム内、および／または他のシステムを用いるインターネットなどのネットワーク全体の中の別のコンポーネントと信号を介して相互作用する１つのコンポーネントからのデータ）を有する信号によるなど、ローカルおよび／またはリモートプロセスを介して通信することができる。
【００２８】
本明細書で説明する技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）および他のシステムなど様々なワイヤレス通信システムに対して使用できる。「システム」および「ネットワーク」という用語は、しばしば互換的に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ＣＤＭＡ２０００などの無線技術を実装することができる。ＵＴＲＡは、Ｗｉｄｅｂａｎｄ−ＣＤＭＡ（Ｗ−ＣＤＭＡ）およびＣＤＭＡの他の変形態を含む。ＣＤＭＡ２０００は、ＩＳ−２０００、ＩＳ−９５、およびＩＳ−８５６規格をカバーする。ＴＤＭＡシステムはＧｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装することができる。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭなどの無線技術を実装することができる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）は、ダウンリンク上ではＯＦＤＭＡを採用し、アップリンク上ではＳＣ−ＦＤＭＡを採用する、Ｅ−ＵＴＲＡを使用するＵＭＴＳの今度のリリースである。
【００２９】
シングルキャリア周波数分割多元接続（ＳＣ−ＦＤＭＡ）は、シングルキャリア変調および周波数領域等化を利用する。ＳＣ−ＦＤＭＡは、ＯＦＤＭＡシステムと同様のパフォーマンスおよび本質的に同じ全体的な複雑さを有する。ＳＣ−ＦＤＭＡ信号は、その特有のシングルキャリア構造のためにより低いピーク対平均電力比（ＰＡＰＲ）を有する。ＳＣ−ＦＤＭＡは、たとえば、より低いＰＡＰＲが送信電力効率の点でアクセス端末に大きな利益を与えるアップリンク通信において使用できる。したがって、ＳＣ−ＦＤＭＡは、３ＧＰＰ  Ｌｏｎｇ  Ｔｅｒｍ  Ｅｖｏｌｕｔｉｏｎ（ＬＴＥ）またはＥｖｏｌｖｅｄ  ＵＴＲＡでアップリンク多元接続スキームとして実装できる。
【００３０】
さらに、様々な実施形態について、モバイルデバイスに関して本明細書で説明する。モバイルデバイスは、システム、加入者ユニット、加入者局、移動局、モバイル、リモート局、リモート端末、アクセス端末、ユーザ端末、端末、ワイヤレス通信デバイス、ユーザエージェント、ユーザデバイス、またはユーザ機器（ＵＥ）とも呼ばれることがある。モバイルデバイスは、セルラー電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、コンピューティングデバイス、またはワイヤレスモデムに接続された他の処理デバイスとすることができる。さらに、様々な実施形態について、基地局に関して本明細書で説明する。基地局は、（１つまたは複数の）モバイルデバイスと通信するために利用でき、アクセスポイント、ノードＢ、または何らかの他の用語で呼ばれることもある。
【００３１】
さらに、本明細書で説明する様々な態様または特徴は、標準のプログラミングおよび／またはエンジニアリング技法を使用した方法、装置、または製造品として実装できる。本明細書で使用する「製造品」という用語は、任意のコンピュータ可読デバイス、キャリア、または媒体からアクセス可能なコンピュータプログラムを包含するものとする。たとえば、コンピュータ可読媒体は、磁気ストレージデバイス（たとえば、ハードディスク、フロッピー（登録商標）ディスク、磁気ストリップなど）、光ディスク（たとえば、コンパクトディスク（ＣＤ）、デジタル多用途ディスク（ＤＶＤ）など）、スマートカード、およびフラッシュメモリデバイス（たとえば、ＥＰＲＯＭ、カード、スティック、キードライブなど）を含むことができるが、これらに限定されない。さらに、本明細書で説明する様々な記憶媒体は、情報を記憶するための１つまたは複数のデバイスおよび／または他の機械可読媒体を表すことができる。「機械可読媒体」という用語は、ワイヤレスチャネル、ならびに（１つまたは複数の）命令および／またはデータを記憶、含有、および／または搬送することが可能な様々な他の媒体を含むことができるが、これらに限定されない。
【００３２】
次に図１を参照すると、本明細書で提示する様々な実施形態によるワイヤレス通信システム１００が示されている。システム１００は、複数のアンテナグループを含むことができる基地局１０２を備える。たとえば、１つのアンテナグループはアンテナ１０４および１０６を含み、別のグループはアンテナ１０８および１１０を備え、さらなるグループはアンテナ１１２および１１４を含むことができる。アンテナグループごとに２つのアンテナが示されているが、グループごとにより多いまたはより少ないアンテナを利用することができる。基地局１０２は、さらに、送信機チェーンおよび受信機チェーンを含むことができ、送信機チェーンおよび受信機チェーンの各々は、当業者なら諒解するように、信号送信および受信に関連する複数のコンポーネント（たとえば、プロセッサ、変調器、マルチプレクサ、復調器、デマルチプレクサ、アンテナなど）を備えることができる。
【００３３】
基地局１０２は、モバイルデバイス１１６およびモバイルデバイス１２２など１つまたは複数のモバイルデバイスと通信することができるが、基地局１０２は、モバイルデバイス１１６および１２２と同様の実質的にいかなる数のモバイルデバイスとも通信することができることを諒解されたい。モバイルデバイス１１６および１２２は、たとえば、セルラー電話、スマートフォン、ラップトップ、ハンドヘルド通信デバイス、ハンドヘルドコンピューティングデバイス、衛星ラジオ、全地球測位システム、ＰＤＡ、および／またはワイヤレス通信システム１００を介して通信するための他の適切なデバイスとすることができる。図示のように、モバイルデバイス１１６は、アンテナ１１２および１１４と通信しており、アンテナ１１２および１１４は、順方向リンク１１８を介して情報をモバイルデバイス１１６に送信し、逆方向リンク１２０を介してモバイルデバイス１１６から情報を受信する。さらに、モバイルデバイス１２２は、アンテナ１０４および１０６と通信しており、アンテナ１０４および１０６は、順方向リンク１２４を介して情報をモバイルデバイス１２２に送信し、逆方向リンク１２６を介してモバイルデバイス１２２から情報を受信する。周波数分割複信（ＦＤＤ）システムでは、たとえば、順方向リンク１１８は、逆方向リンク１２０によって使用される周波数帯とは異なる周波数帯を利用し、順方向リンク１２４は、逆方向リンク１２６によって使用される周波数帯とは異なる周波数帯を使用することができる。さらに、時分割複信（ＴＤＤ）システムでは、順方向リンク１１８および逆方向リンク１２０は共通の周波数帯を利用し、順方向リンク１２４および逆方向リンク１２６は共通の周波数帯を利用することができる。
【００３４】
アンテナの各グループおよび／またはそれらが通信するように指定されたエリアを、基地局１０２のセクタと呼ぶことができる。たとえば、基地局１０２によってカバーされるエリアのセクタ中のモバイルデバイスに通信するようにアンテナグループを設計することができる。順方向リンク１１８および１２４を介した通信では、基地局１０２の送信アンテナは、モバイルデバイス１１６および１２２についての順方向リンク１１８および１２４の信号対雑音比を向上させるためにビームフォーミングを利用することができる。さらに、基地局１０２が、関連するカバレージ中に不規則に散在するモバイルデバイス１１６および１２２に送信するためにビームフォーミングを利用する間は、基地局が単一のアンテナを介してその基地局のすべてのモバイルデバイスに送信する場合と比較して、隣接セル内のモバイルデバイスは干渉を受けにくい。
【００３５】
基地局１０２（および／または基地局１０２の各セクタ）は、１つまたは複数の多元接続技術（たとえば、ＣＤＭＡ、ＴＤＭＡ、ＦＤＭＡ、ＯＦＤＭＡ、．．．）を採用することができる。たとえば、基地局１０２は、対応する帯域幅上でモバイルデバイス（たとえば、モバイルデバイス１１６および１２２）と通信するための特定の技術を利用することができる。その上、２つ以上の技術を基地局１０２が採用する場合、各技術をそれぞれの帯域幅に関連付けることができる。本明細書で説明する技術は、Ｇｌｏｂａｌ  Ｓｙｓｔｅｍ  ｆｏｒ  Ｍｏｂｉｌｅ（ＧＳＭ）、Ｇｅｎｅｒａｌ  Ｐａｃｋｅｔ  Ｒａｄｉｏ  Ｓｅｒｖｉｃｅ（ＧＰＲＳ）、Ｅｎｈａｎｃｅｄ  Ｄａｔａ  Ｒａｔｅｓ  ｆｏｒ  ＧＳＭ  Ｅｖｏｌｕｔｉｏｎ（ＥＤＧＥ）、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）、Ｗｉｄｅｂａｎｄ  Ｃｏｄｅ  Ｄｉｖｉｓｉｏｎ  Ｍｕｌｔｉｐｌｅ  Ａｃｃｅｓｓ（Ｗ−ＣＤＭＡ）、ｃｄｍａＯｎｅ（ＩＳ−９５）、ＣＤＭＡ２０００、Ｅｖｏｌｕｔｉｏｎ−Ｄａｔａ  Ｏｐｔｉｍｉｚｅｄ（ＥＶ−ＤＯ）、Ｕｌｔｒａ  Ｍｏｂｉｌｅ  Ｂｒｏａｄｂａｎｄ（ＵＭＢ）、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ）、ＭｅｄｉａＦＬＯ、Ｄｉｇｉｔａｌ  Ｍｕｌｔｉｍｅｄｉａ  Ｂｒｏａｄｃａｓｔｉｎ（ＤＭＢ）、Ｄｉｇｉｔａｌ  Ｖｉｄｅｏ  Ｂｒｏａｄｃａｓｔｉｎｇ−Ｈａｎｄｈｅｌｄ（ＤＶＢ−Ｈ）などを含むことができる。上記の技術は一例として与えたものであり、請求する主題はそのように限定されず、むしろ、実質的にどんなワイヤレス通信技術も、本明細書に添付の特許請求の範囲の範囲内に入るものであることを諒解されたい。
【００３６】
基地局１０２は、第１の技術を用いて第１の帯域幅を採用することができる。その上、基地局１０２は、第２の帯域幅上で第１の技術に対応するパイロットを送信することができる。一例によれば、基地局１０２および／または異種基地局（図示せず）が、第２の技術を利用する通信のために、第２の帯域幅を活用することができる。その上、パイロットは、第１の技術の存在を（たとえば、第２の技術によって通信しているモバイルデバイスに）示すことができる。たとえば、パイロットは、（１つまたは複数の）ビットを使用して、第１の技術の存在に関する情報を搬送することができる。さらに、第１の技術を利用するセクタのＳｅｃｔｏｒＩＤ、第１の周波数帯域幅を示すＣａｒｒｉｅｒＩｎｄｅｘなどの情報をパイロット中に含めることができる。
【００３７】
別の例によれば、パイロットは、ビーコン（および／または一連のビーコン）とすることができる。ビーコンは、電力の大部分が１つのサブキャリアまたは数個のサブキャリア（たとえば、少数のサブキャリア）上で送信されるＯＦＤＭシンボルとすることができる。したがって、ビーコンは、帯域幅の狭い部分上のデータに干渉している間にモバイルデバイスによって観察できる強いピークを与える（たとえば、帯域幅の残りはビーコンによって影響を受けない）。この例の後に、第１のセクタは第１の帯域幅上でＣＤＭＡによって通信することができ、第２のセクタは第２の帯域幅上でＯＦＤＭによって通信することができる。したがって、第１のセクタは、第２の帯域幅上でＯＦＤＭビーコン（または、一連のＯＦＤＭビーコン）を送信することによって、第１の帯域幅上のＣＤＭＡの利用可能性を（たとえば、第２の帯域幅上でＯＦＤＭを利用して動作している（１つまたは複数の）モバイルデバイスに）示すことができる。
【００３８】
本発明は、レガシーユーザ機器がいくつかの送信アンテナ全体を利用することを可能にするために、いくつかの送信アンテナを（たとえば、グループ、アンテナのグループ、送信アンテナのグループなどとも呼ばれる）いくつかの仮想アンテナに編成することができる。具体的には、レガシーユーザ機器は、最高４つの送信アンテナポート（たとえば、ＵＥのグループ用に作成されたアンテナポート）のみを利用することが可能である。４つ以上の送信アンテナを採用するワイヤレス通信システム内では、レガシーユーザ機器は４つ以上の送信アンテナポートを利用することができない。本発明は、たとえば線形結合（たとえば、物理アンテナ上の線形結合など）を採用することによって、４つ以上の送信アンテナを仮想アンテナにグループ化することができ、したがって、レガシーユーザ機器が利用することができる送信アンテナポートとして仮想アンテナを使用することにより、レガシーユーザ機器は５つ以上の送信アンテナを活用することが可能になる。言い換えれば、レガシーユーザ機器がさらなる送信アンテナ（たとえば、５つ以上の送信アンテナ）を活用することができるように、仮想アンテナを作成することができる。本発明は、さらに、送信アンテナのための基準信号、および／または線形結合に関係する遅延を、非レガシーユーザ機器（たとえば、４つ以上のアンテナに適合するユーザ機器）に通信することができる。そのような通信された基準信号および遅延に基づいて、非レガシーユーザ機器は、送信アンテナの各作成されたグループから各送信アンテナを識別することができる。
【００３９】
図２を参照すると、ワイヤレス通信環境内で採用するための通信装置２００が示されている。通信装置２００は、基地局（たとえば、ｅノードＢ、ノードＢなど）もしくはその一部分、ネットワークもしくはその一部分、モバイルデバイスもしくはその一部分、またはワイヤレス通信環境中で送信されたデータを受信する実質的にどんな通信装置でもよい。通信システムでは、通信装置２００は、送信アンテナのグループを編成および／または作成するために以下で説明するコンポーネントを採用し、グループの数はアドバタイズアンテナ（advertise antenna）の数である。
【００４０】
通信装置２００はグループモジュール２０２を含むことができる。グループモジュール２０２は、いくつかの送信アンテナを識別し、そのような送信アンテナをグループに編成することができる。一般に、グループモジュール２０２は、送信アンテナのＮ個のグループを作成することができ、ただし、Ｎは、正の整数であり、アドバタイズされたアンテナの数に等しい。グループモジュールは、各グループ内に任意の好適な数の送信アンテナをもつ任意の好適な数のグループを作成することができることを諒解されたい。
【００４１】
通信装置２００は、グループ内の各アンテナに対して線形結合技法を採用することができる線形結合モジュール２０４を含むことができる。言い換えれば、線形結合は、各グループ中のすべての送信アンテナに適用され、線形結合は、２つ以上のグループの各々について送信ダイバーシティを周波数ダイバーシティに変換することができる。限定はしないが、巡回遅延ダイバーシティ（ＣＤＤ）などの任意の好適な線形結合を採用することができることを諒解されたい。線形結合は周波数依存であり得ることを諒解されたい。
【００４２】
通信装置２００は、線形結合とともに利用されるパイロット信号（たとえば、基準信号）および／または遅延を通信および／または受信することができる基準信号モジュール２０６を含むことができる。基準信号モジュール２０６は、さらに、グループへの割当てにかかわらず、グループ内で送信アンテナを識別するために、線形結合および遅延を認識しているユーザ機器によって利用され得る。言い換えれば、基準信号モジュール２０６は、グループの各々内の各アンテナを識別するために、グループ化されたアンテナから基準信号を復号またはアンプリコードすることができる。
【００４３】
通信装置２００（ならびに／あるいはグループモジュール２０２、線形結合モジュール２０４、および／または基準信号モジュール２０６）は、ユーザ機器（ＵＥ）の少なくとも２つのグループを識別すること、ＵＥの少なくとも２つのグループに異なる数のアンテナポートをシグナリングすること、および／またはＵＥの各グループに対応するアンテナポートを作成することのうちの少なくとも１つを行うことができ、各アンテナポートは、いくつかの物理送信アンテナのサブセットを含み、アンテナポートの数は、ＵＥのそのグループにシグナリングされるアンテナポートの数である。
【００４４】
通信装置２００（ならびに／あるいはグループモジュール２０２、線形結合モジュール２０４、および／または基準信号モジュール２０６）は、アンテナポートのセットに関係する基準信号を送信するために採用される遅延および線形結合のうちの少なくとも１つを含むマッピング情報を受信すること、アンテナポートに関係する基準信号を受信すること、各アンテナポートを識別するためにセットに関係する基準信号を復号することであって、復号することは、マッピング情報を利用する、復号すること、測定、基地局へのフィードバック、または復調技法のうちの少なくとも１つのためにＵＥの第１のグループのアンテナポートのための送信された基準信号を利用すること、ならびに／あるいは測定および基地局へのフィードバックのためにＵＥの第２のグループのアンテナポートのための送信された基準信号を利用することのうちの少なくとも１つに行うことができることを諒解されたい。通信装置２００は、ＵＥのグループに基準信号を送信することができ、基準信号は、少なくとも１つの対応するアドバタイズされたアンテナポートおよび／または複数の対応するアドバタイズされたアンテナポートに関係することを諒解されたい。さらに、マッピング情報は、物理送信アンテナとＵＥのグループの少なくとも１つのアンテナポートとの間のマッピングを含むことができることを諒解されたい。
【００４５】
通信装置２００は、ＵＥ固有のアンテナポートを経時的に動的に作成することができ、ＵＥからのフィードバックに基づくことができることを諒解されたい。フィードバックは、チャネル品質、プリコーディング行列、ランク情報、チャネル指向性情報、および／またはＵＥのグループのサブセットのみにアドバタイズされたアンテナポートのチャネル品質状態のうちの少なくとも１つとすることができる。さらに、ＵＥのグループは、様々なパターン、様々な密度および様々な周期性を有することができる。
【００４６】
さらに、図示されていないが、通信装置２００は、いくつかの送信アンテナを識別すること、いくつかの送信アンテナのサブセットを含む１つまたは複数のグループを作成することであって、各グループがいくつかの送信アンテナのサブセットを含み、グループの数がアドバタイズされたアンテナの数である、作成すること、２つ以上のグループの各々について送信ダイバーシティを周波数ダイバーシティに変換するために線形結合を採用すること、ユーザ機器（ＵＥ）の少なくとも２つのグループを識別すること、異なる数のアンテナポートをＵＥの少なくとも２つのグループにシグナリングすること、ＵＥの各グループに対応するアンテナポートを作成することであって、各アンテナポートがいくつかの物理送信アンテナのサブセットを含み、アンテナポートの数がＵＥのそのグループにシグナリングされるアンテナポートの数である、作成することなどに関する命令を保持するメモリを含むことができることを諒解されたい。さらに、通信装置２００は、命令（たとえば、メモリ内に保持された命令、異種ソースから得られた命令、．．．）を実行することに関して利用できるプロセッサを含むことができる。
【００４７】
加えて、図示されていないが、通信装置２００は、２つ以上の送信アンテナを含むグループのために送信ダイバーシティを周波数ダイバーシティに変換するために線形結合に関係する遅延を受信すること、グループに関係する基準信号を受信すること、各送信アンテナを識別するためにグループに関係する基準信号を復号することであって、復号することは、受信された遅延を利用する、復号すること、アンテナポートのセットに関係する基準信号を送信するために採用される遅延および線形結合のうちの少なくとも１つを含むマッピング情報を受信すること、アンテナポートに関係する基準信号を受信すること、各アンテナポートを識別するためにセットに関係する基準信号を復号することであって、復号することは、マッピング情報を利用する、復号すること、測定、基地局へのフィードバック、または復調技法のうちの少なくとも１つのためにＵＥの第１のグループのアンテナポートのための送信された基準信号を利用すること、測定および基地局へのフィードバックのためにＵＥの第２のグループのアンテナポートのための送信された基準信号を利用することなどに関する命令を保持するメモリを含むことができることを諒解されたい。さらに、通信装置２００は、命令（たとえば、メモリ内に保持された命令、異種ソースから得られた命令、．．．）を実行することに関して利用できるプロセッサを含むことができる。
【００４８】
次に図３を参照すると、レガシーユーザ機器（ＵＥ）を最適化するために送信アンテナをグループ化することができるワイヤレス通信システム３００を示す。システム３００は、ユーザ機器（ＵＥ）３０４（および／または任意の数の異種デバイス（図示せず））と通信する基地局３０２を含む。基地局３０２は、順方向リンクチャネルを介してユーザ機器３０４に情報を送信することができ、さらに、基地局３０２は、逆方向リンクチャネルを介してユーザ機器３０４から情報を受信することができる。その上、システム３００はＭＩＭＯシステムとすることができる。さらに、システム３００は、ＯＦＤＭＡワイヤレスネットワーク、３ＧＰＰワイヤレスネットワークなどにおいて動作することができる。また、以下で図示および説明する、基地局３０２中のコンポーネントおよび機能は、ユーザ機器３０４中にも存在することができ、一例では、その逆も同様であり、図示の構成では、説明を容易にするためにこれらのコンポーネントを除外してある。
【００４９】
基地局３０２は、いくつかの利用可能な送信アンテナを評価し、そのようないくつかの利用可能な送信アンテナをグループに編成することができるグループモジュール３０６を含む。グループモジュール３０６は、送信アンテナを含むいくつかのグループを作成することができ、グループの数はアドバタイズアンテナの数に等しいとすることができる。たとえば、８つの送信アンテナと４つのアドバタイズされたアンテナポートとがあることができ、グループモジュールは８つのグループを作成することができ、各グループは少なくとも１つの送信アンテナを含むことができる。
【００５０】
基地局３０２は、さらに、少なくとも２つの送信アンテナを含む１つまたは複数のグループの各々について、送信ダイバーシティを周波数ダイバーシティに変換するために線形結合を採用することができる線形結合モジュール３０８を含むことができる。線形結合モジュール３０８は巡回遅延ダイバーシティ（ＣＤＤ）および／または任意の他の好適な線形結合技法を採用することができることを諒解されたい。
【００５１】
基地局３０２は、さらに、線形結合技法に関係する遅延を通信または搬送することができる送信モジュール３１０を含むことができる。送信モジュール３１０は、さらに、アンテナの各グループおよび／または各グループ内の個々のアンテナのための基準信号を搬送または通信することができる。そのような基準信号および／または遅延を搬送することによって、ユーザ機器は、各グループ内の各送信アンテナのチャネルを推定することが可能であり得る。
【００５２】
基地局３０２（ならびに／あるいはグループモジュール３０６、線形結合モジュール３０８、および／または送信モジュール３１０）は、ユーザ機器（ＵＥ）の少なくとも２つのグループを識別すること、ＵＥの少なくとも２つのグループに異なる数のアンテナポートをシグナリングすること、および／またはＵＥの各グループに対応するアンテナポートを作成することのうちの少なくとも１つを行うことができ、各アンテナポートは、いくつかの物理送信アンテナのサブセットを含み、アンテナポートの数は、ＵＥのそのグループにシグナリングされるアンテナポートの数である。
【００５３】
ユーザ機器３０４は、線形結合技法に関係する基準信号および／または遅延を受信することができる受信モジュール３１２を含むことができる。ユーザ機器３０４は、さらに、基準信号モジュール３１４を含むことができる。さらに、基準信号モジュール３１４は、グループへの割当てにかかわらず、グループ内のアンテナのチャネルを推定するために、ユーザ機器によって利用され得る。言い換えれば、基準信号モジュール３１４は、グループの各々内の各アンテナを識別するために、グループ化されたアンテナからの基準信号を（受信された遅延を利用して）復号またはアンプリコードすることができる。
【００５４】
ユーザ機器３０４（ならびに／あるいは受信モジュール３１２、および／または基準信号モジュール３１４）は、アンテナポートのセットに関係する基準信号を送信するために採用される遅延および線形結合のうちの少なくとも１つを含むマッピング情報を受信すること、アンテナポートに関係する基準信号を受信すること、各アンテナポートを識別するためのセットに関係する基準信号を復号することであって、復号することは、マッピング情報を利用する、復号すること、測定、基地局へのフィードバック、または復調技法のうちの少なくとも１つのためにＵＥの第１のグループのアンテナポートのための送信された基準信号を利用すること、ならびに／あるいは測定および基地局へのフィードバックのためにＵＥの第２のグループのアンテナポートのための送信された基準信号を利用することのうちの少なくとも１つに行うことができることを諒解されたい。
【００５５】
さらに、図示されていないが、基地局３０２は、いくつかの送信アンテナを識別すること、いくつかの送信アンテナのサブセットを含む１つまたは複数のグループを作成することであって、各グループがいくつかの送信アンテナのサブセットを含み、グループの数がアドバタイズされたアンテナの数である、作成すること、１つまたは複数のグループの各々のために送信ダイバーシティを周波数ダイバーシティに変換するために線形結合を採用すること、ユーザ機器（ＵＥ）の少なくとも２つのグループを識別すること、異なる数のアンテナポートをＵＥの少なくとも２つのグループにシグナリングすること、ＵＥの各グループに対応するアンテナポートを作成することであって、各アンテナポートがいくつかの物理送信アンテナのサブセットを含み、アンテナポートの数がＵＥのそのグループにシグナリングされるアンテナポートの数である、作成することなどに関する命令を保持するメモリを含むことができることを諒解されたい。さらに、通信装置２００は、命令（たとえば、メモリ内に保持された命令、異種ソースから得られた命令、．．．）を実行することに関して利用できるプロセッサを含むことができる。
【００５６】
加えて、図示されていないが、基地局３０２は、２つ以上の送信アンテナを含むグループのために送信ダイバーシティを周波数ダイバーシティに変換するために線形結合に関係する遅延を受信すること、グループに関係する基準信号を受信すること、各送信アンテナを識別するためにグループに関係する基準信号を復号することであって、復号することは、受信された遅延を利用する、復号すること、アンテナポートのセットに関係する基準信号を送信するために採用される遅延および線形結合のうちの少なくとも１つを含むマッピング情報を受信すること、アンテナポートに関係する基準信号を受信すること、各アンテナポートを識別するためにセットに関係する基準信号を復号することであって、復号することは、マッピング情報を利用する、復号すること、測定、基地局へのフィードバック、または復調技法のうちの少なくとも１つのためにＵＥの第１のグループのアンテナポートのための送信された基準信号を利用すること、測定および基地局へのフィードバックのためにＵＥの第２のグループのアンテナポートのための送信された基準信号を利用することなどに関する命令を保持するメモリを含むことができることを諒解されたい。さらに、通信装置２００は、命令（たとえば、メモリ内に保持された命令、異種ソースから得られた命令、．．．）を実行することに関して利用できるプロセッサを含むことができる。
【００５７】
また、データレートを増加させるために複数の送信アンテナを使用することができる。Ｎｔ個の送信アンテナとＮｒ個の受信アンテナとをもつＭＩＭＯシステムでは、容量は、ｍｉｎ（Ｎｔ，Ｎｒ）とともに直線的にスケーリングする。
【００５８】
巡回遅延ダイバーシティ（ＣＤＤ）は、ＯＦＤＭシステムにおいて送信ダイバーシティを周波数ダイバーシティに変換するスキームである。ＣＤＤスキームは、様々な遅延をもつ様々なアンテナ上で同じ信号を送信することに関与する。以下の例では、どのようにＣＤＤが送信ダイバーシティを周波数ダイバーシティに変換するかを示す。２つの送信アンテナからのチャネルがＨ１（ｆ）＝Ｈ１およびＨ２（ｆ）＝Ｈ２である、すなわち、チャネルが周波数選択性でない場合について考える。遅延は周波数領域中の位相ランプによる乗算に対応するので、ＣＤＤ後の実効チャネル実現はＨ１＋ｅjfDＨ２に比例し、ただし、Ｄは、第２のアンテナ上にもたらされる遅延に比例する。したがって、ＣＤＤスキームはチャネル応答の周波数選択性を増加させる。離間している２つのＯＦＤＭサブキャリア上で信号が送られる場合、２つのダイバーシティがある。
【００５９】
ＬＴＥリリース８は、１つ、２つ、または４つの送信アンテナポートをサポートする。送信アンテナポートの数は、ＰＢＣＨを通してアドバタイズされ得る。基準信号（ＲＳ）は、チャネル推定目的のために使用される各アンテナポートから送られ得る。
【００６０】
ＬＴＥ−Ａｄｖａｎｃｅｄは、基地局においてより多くの送信アンテナ（たとえば、８つ、９つ以上など）を有することができる。レガシーＵＥは４つまでの送信アンテナポートしかサポートすることができないので、システム中で利用可能な送信アンテナポートよりも少ない数の送信アンテナポートが、ＰＢＣＨを通してレガシーＵＥにアドバタイズされる。「アドバタイズされたアンテナポート」は、レガシーＵＥにアドバタイズされるアンテナポートを指すとし、「すべてのアンテナポート」は、システム中で利用可能なすべてのアンテナポートを指すとする。新しいＵＥは、（以下で説明する）新しい機構を通して、すべての利用可能なアンテナポートを認識させることができる。
【００６１】
そのようなシステム中のレガシーＵＥをサポートするための１つの技法は、１つの送信アンテナを１つのアンテナポートにマッピングすることであろう。これにより、レガシーＵＥによってモニタされる送信のために使用できる送信アンテナは固定されることになり、新しいＵＥによってモニタされる送信のためのみのすべてのアンテナの使用が可能になり得る。しかしながら、そのような技法では、レガシーＵＥのための送信ダイバーシティが、アドバタイズされたアンテナポートの数に制限される。本発明は、レガシーＵＥによってモニタされる信号を送信し、それによりレガシーＵＥは、アドバタイズされたアンテナポートの数よりも多い送信ダイバーシティを得ることが可能になり、レガシーＵＥが受信信号を処理する方法を変更する必要がない。
【００６２】
本発明は、システム中で利用可能な送信アンテナをＮ個のグループにグループ化することを可能にし、ただし、Ｎは、アドバタイズされたアンテナポートの数に等しい。様々なグループ中のアンテナの数は様々であり得（たとえば、グループ１は２つのアンテナを有し、グループ２は３つのアンテナを有する、など）、１つのアンテナが２つ以上のグループに属し得ることを諒解されたい。そのような各グループで、送信ダイバーシティを周波数ダイバーシティに変換するために巡回遅延ダイバーシティ（ＣＤＤ）スキームを利用することができる。任意の好適な線形結合または非線形結合を採用することができ、ＣＤＤは一例にすぎないことを諒解されたい。受信機において、グループ内のすべてのアンテナは単一の送信アンテナポートのように見え、異なるアンテナ上にもたらされる遅延が大き過ぎない限り、受信機における処理は影響を受けない。たとえば、４つの送信アンテナポートがレガシーＵＥにアドバタイズされる、８つの送信アンテナの場合について考える。アンテナ１および２はグループ１に、アンテナ３および４はグループ２に、アンテナ５および６はグループ３に、アンテナ７および８はグループ４にグループ化され得る。グループＮ中のすべてのアンテナは、ＣＤＤを使用して、アドバタイズされたアンテナＮに対応する信号を送信することによって、ＵＥに対して仮想アンテナのように働くであろう。たとえば、これは、グループ中の第１のアンテナ上と同じように信号を送信することによって、およびグループの第２のアンテナ中で１チップだけ遅延した信号を送信することによって行われ得る。
【００６３】
ＰＣＦＩＣＨ、ＰＨＩＣＨ、およびＰＤＣＣＨのようなＬＴＥリリース８中のいくつかの制御チャネルは周波数にわたって拡散され、したがって、そのようなスキームを使用することは、レガシーＵＥのパフォーマンスを改善するのに役立つ。たとえば、レガシーＵＥのＰＣＦＩＣＨ、ＰＨＩＣＨ、およびＰＤＣＣＨの場合、４つの送信アンテナ上で送信する代わりに、前の例において基準信号（ＲＳ）に対して行ったように、４つの仮想アンテナ上で送信することができる。
【００６４】
データ送信においてこのダイバーシティを利用するために、スケジューラは、周波数にわたって分散されたＰＤＳＣＨリソース上でＵＥをスケジュールすることができる。ＰＤＳＣＨは、このさらなるダイバーシティから利益を得るために、ＲＳと同じ仮想アンテナスキームを使用して送信できる。それ自体の専用ＲＳを用いたＰＤＳＣＨ送信の場合、専用ＲＳとＰＤＳＣＨ中の対応するデータ送信とのために同様の仮想アンテナスキームを採用することができる。この場合のデータ送信のために使用される仮想アンテナは、共通ＲＳのために使用されるものとは異なることがある。
【００６５】
提案された仮想アンテナ技法は、たとえば制御の送信のためのレガシーＵＥと新しいＵＥの両方のために採用できる。レガシーＵＥは、４つ以下の送信アンテナに適合するＵＥとすることができ、新しいＵＥは、４つ以上の送信アンテナに適合するＵＥであることを諒解されたい。代わりに、仮想アンテナ技法をレガシーＵＥのために利用することができ、ＰＨＩＣＨ、ＰＤＣＣＨ、およびＰＤＳＣＨの場合、新しいＵＥへの送信は、より多くのパイロットを有することができ、異なるアンテナからのチャネルを推定することができるので、改善された送信ダイバーシティを得るために異なる手法を使用することができる。
【００６６】
すべての利用可能なアンテナポートを用いてより高いデータレートを可能にするために、新しいＵＥは、すべての利用可能なアンテナポートに対応するチャネルを推定し、チャネル品質（ＣＱＩ、ＰＭＩ、ＲＩ、ＣＤＩなど）を報告することが可能である必要がある。レガシーＵＥのためにすでに送信された基準信号に加えて、新しいＵＥによって使用されるべきすべてのアンテナポートのために、新しい基準信号を送ることができる。代わりに、新しい基準信号は、それらがフィードバック目的および測定目的のために、すべての送信アンテナのチャネル推定のためのレガシーＲＳとともに使用され得るように設計できる。基準信号は、アンプリコードでき、レガシーＲＳによってカバーされない方向を表すことができる。それらはまた、プリコードでき、レガシーＲＳによって与えられていないプリコードされたチャネルの方向を与えることができる。
【００６７】
たとえば、８つのＴｘアンテナが４つのグループにグループ化され、グループ１がアンテナ１および２に対応し、グループ２がアンテナ３、４を含んでいるなど、前と同じ例について考える。ｈi（ｔ）（ｉ＝１〜８であり、ｔは時間を示す）は、ｉ番目の送信アンテナに対応するチャネルを示すとする。アンテナのうちの１つからの送信信号がＵＥに対して１チップだけ遅延するＣＤＤスキームにより、共通ＲＳ上の実効アンテナ利得は、ｈ1（ｔ）＋ｈ2（ｔ−Ｔc）がグループ１のＲＳに対応し、ｈ3（ｔ）＋ｈ4（ｔ−Ｔc）がグループ２に対応するなどのように見える。Ｔcはチップ持続時間である。
【００６８】
パイロットの４つの新しいセットは、パイロットセット１からの実効チャネル利得がｈ1（ｔ）−ｈ2（ｔ−Ｔc）となり、パイロットセット２からの実効チャネル利得がｈ3（ｔ）−ｈ4（ｔ−Ｔc）となるなどように送信され得る。これは、１つのアンテナからＸ（ｔ）を送信し、次のアンテナから−Ｘ（ｔ−Ｔc）を送信することによって行うことができる。したがって、共通ＲＳと新しいパイロットとを使用することによって、ｈi（ｔ）の推定値を得ることが可能である。この特定の例では、共通ＲＳは、ｈ2i-1（ｔ）＋ｈ2i（ｔ−Ｔc）の推定値を与え、新しいパイロットは、ｈ2i-1（ｔ）−ｈ2i（ｔ−Ｔc）の推定値を与える。スケーリングされ、シフトされたこれらの推定値の和および差は、好適には、ｈ2i-1（ｔ）の推定値およびｈ2i（ｔ）の推定値を生じる。
【００６９】
より一般的には、レガシー共通ＲＳに関連する新しい基準信号は、すべてのアンテナからのチャネル利得を効率的に検出することが可能であり得る。新しい基準信号は、共通ＲＳ中の方向に直交する方向に送ることができ、互いに直交すべきである。
【００７０】
要約すると、本発明は、これらのＵＥに対する完全な透過性とともにレガシーＵＥのためのさらなるダイバーシティを与えるために、８Ｔｘアンテナシステム中のアンテナペア間でのＣＤＤ（または任意の好適な線形結合）の使用を可能にする。さらに、本発明は、レガシーＵＥのために送られた基準信号との結合が、ＬＴＥ−Ａ  ＵＥがすべてのアンテナからのチャネルを推定することを可能にすることができるように設計された新しいさらなる基準信号を与えることができる。
【００７１】
より高いデータレートをサポートするために、ＬＴＥ−Ａでは、多数のアンテナ（最高８つ）をもつＭＩＭＯシステムが想定される。したがって、ＵＥまたはＵＥのグループが異なる情報の送信に関与するすべてのアンテナの推定値を得ることができる機構を与えることが必要となる。ＬＴＥ規格は、現在、最高４つのアンテナポートのための基準信号をサポートする。
【００７２】
本発明は、さらなる４つのアンテナのための基準信号をサポートするためのスキームを提供する。異なるアンテナポートのための基準信号の直交多重化は、異なる時間シフトを使用して行うことができる。たとえば、アンテナ１および５のＲＳは、アンテナ１のためのＲＳリソース上で送られる。アンテナ５のＲＳは、あるチップ持続時間、たとえばＣＰ／２チップだけ遅延する。この場合、複数のアンテナの基準信号は同じ周波数時間リソース上で送信されることになる。各アンテナに対応する送信基準信号は、周波数において異なる位相ランプを有する。リソースの同じセット上に多重化されるすべてのアンテナのための基準信号は、周波数依存位相シフトにおいてのみ異なる。
【００７３】
レガシーＵＥに対して、ＲＳのための同じ時間周波数リソースを使用する複数のアンテナは１つの仮想アンテナのように見え、すべてのそれらの信号が同様の様式で送られる場合、それらは影響を受けないであろう。グループ中のアンテナからのチャネルの遅延拡散が小さい（たとえば、巡回プレフィックスの数分の一以内である）ことが分かっている場合、新しいＵＥは、このグループのＲＳに対応する受信信号から、グループ内の異なるアンテナからのチャネルを推定することが可能であり得る。
【００７４】
ＬＴＥ−Ａ  ＵＥは、すべてのアンテナのためのチャネル情報を推定するために、基準信号と位相ランプとの多重化に関する詳細な情報を使用することができる。この情報は、静的で事前構成され得るか、または適合可能および構成可能であり得る。ＬＴＥ−Ａ  ＵＥには、共通チャネル上で送られた新しいシステム情報ブロック（ＳＩＢ）などのいくつかの機構によって、この情報が通知されることになる。
【００７５】
次に図４を参照すると、例示的なワイヤレス通信システム４００は２つ以上の送信アンテナを編成することができる。システム４００は、例示的な目的のために利用され、本発明を限定するものではない。たとえば、システム４００は、任意の好適な数の送信アンテナと、送信アンテナのための任意の好適な数のグループと、各グループ内の任意の好適な数の送信アンテナとを利用することができる。システム４００は、グループ１  ４０２、グループ２  ４０４、グループ３  ４０６、およびグループ４  ４０８などの４つのグループに編成できる８つの送信アンテナ（たとえば、送信アンテナ１、送信アンテナ２、送信アンテナ３、送信アンテナ４、送信アンテナ５、送信アンテナ６、送信アンテナ７、および送信アンテナ８）を含むことができる。
【００７６】
送信アンテナのグルーピングに基づいて、送信アンテナの各グループは、２つ以上のグループの各々について送信ダイバーシティを周波数ダイバーシティに変換するために、線形結合技法（たとえば、巡回遅延ダイバーシティ（ＣＤＤ）など）を採用することができる。したがって、レガシーユーザ機器（ＵＥ）４１０は、送信アンテナの各グループ（たとえば、グループ１  ４０２、グループ２  ４０４、グループ３  ４０６、およびグループ４  ４０８）を識別することができる。これにより、レガシーユーザ機器４１０が４つ未満の送信アンテナに適合するか否かにかかわらず、各送信アンテナの採用が可能になる。言い換えれば、レガシーユーザ機器４１０は、４つのグループに基づく４つの送信アンテナを検出する。ユーザ機器４１２（たとえば、非レガシーユーザ機器、４つ以上の送信アンテナを利用するように適合されたユーザ機器）は、さらに、送信アンテナのグルーピングにかかわらず、送信アンテナの各々を利用することができる。ユーザ機器４１２は、線形結合に関係する遅延、ならびに送信アンテナのグループおよび／または各送信アンテナのための基準信号を受信することができる。そのような受信した遅延および／または基準信号に基づいて、ユーザ機器４１２は、各送信アンテナ、ここでは８つの送信アンテナすべてを復号またはアンプリコードし、検出することができる。
【００７７】
一態様によれば、ワイヤレス通信システム中で利用可能な送信アンテナはＮ個のグループにグループ化され、ただし、Ｎは、アドバタイズされたアンテナの数に等しい。一態様によれば、異なるグループ中のアンテナの数は異なることがある。加えて、Ｎ個のグループの各々は、送信ダイバーシティを周波数ダイバーシティに変換するために巡回遅延ダイバーシティを使用する。受信機、たとえば、ＵＥにおいて、グループ内のすべてのアンテナは単一の送信アンテナのように見え、異なるアンテナ上にもたらされる遅延が大きすぎない限り、受信機における処理は影響を受けない。たとえば、一態様では、８つの送信アンテナが実装され、４つの送信アンテナがレガシーＵＥにアドバタイズされる。アンテナ１および２はグループ１にグループ化され、アンテナ３および４はグループ２にグループ化され、アンテナ５および６はグループ３にグループ化され、アンテナ７および８はグループ４にグループ化される。グループＮ中のすべてのアンテナは、ＣＤＤを使用して、アドバタイズされたアンテナＮに対応する信号を送信することによって、ＵＥに対して仮想アンテナのように働くであろう。たとえば、一態様において、信号は、グループ中の第１のアンテナ上と同じように送信され、信号は、グループの第２のアンテナ中で１チップだけ遅延して送信される。
【００７８】
物理制御フォーマットインジケータチャネル（ＰＣＦＩＣＨ）、物理Ｈ−ＡＲＱ指示チャネル（ＰＨＩＣＨ）、および物理ダウンリンク制御チャネル（ＰＤＣＣＨ）のようなＬＴＥリリース８のいくつかの制御チャネルが周波数上に拡散され、したがって、本明細書で説明する態様を使用することはレガシーＵＥのパフォーマンスを改善するのに役立つことに留意されたい。たとえば、レガシーＵＥのＰＣＦＩＣＨ、ＰＨＩＣＨ、およびＰＤＣＣＨの場合、４つの送信アンテナ上で送信する代わりに、前の例において基準信号（ＲＳ）に対して行ったように、４つの仮想アンテナ上で送信する。したがって、本発明は、ＵＥのグループにアドバタイズされたアンテナポートを使用して、基準信号（ＲＳ）、物理制御フォーマットインジケータチャネル（ＰＣＦＩＣＨ）、物理ハイブリッドＡＲＱチャネル（ＰＨＩＣＨ）、および物理ダウンリンク制御チャネル（ＰＤＣＣＨ）、ならびにＰＤＳＣＨのうちの少なくとも１つをＵＥのグループに送信することができることを諒解されたい。
【００７９】
一態様によれば、データ送信において送信ダイバーシティを利用するために、スケジューラは、周波数にわたって分散されたＰＤＳＣＨリソース上でＵＥをスケジュールすることができる。ＰＤＳＣＨは、このさらなるダイバーシティから利益を得るために、ＲＳと同じ仮想アンテナスキームを使用して送信できる。それら自体の専用ＲＳを用いたＰＤＳＣＨ送信の場合、専用ＲＳとＰＤＳＣＨ中の対応するデータ送信とのために同様の仮想アンテナスキームを採用することができる。一態様によれば、この場合の仮想アンテナスキームは、共通ＲＳのためのスキームとは異なることがある。
【００８０】
１つまたは複数の態様によれば、提案された仮想アンテナ技法をレガシーＵＥと新しいＵＥの両方のために採用することができる。代わりに、レガシーＵＥのために仮想アンテナ技法を使用することができ、ＰＨＩＣＨ、ＰＤＣＣＨ、およびＰＤＳＣＨの場合、非レガシーＵＥへの送信は、非レガシーＵＥがより多くのパイロットを有することができ、異なるアンテナからのチャネルを推定することができるので、改善された送信ダイバーシティを得るために異なる手法を使用することができる。
【００８１】
すべて利用可能な送信アンテナを用いて可能となるより高いデータレートを得るために、データ復調の場合、非レガシーＵＥは、すべての送信されたビームに対応するプリコードされたチャネルを推定することが可能である必要がある。一態様では、プリコードされたチャネル推定を助けるために、新しいパイロット（専用基準信号）をＰＤＳＣＨ領域中で送信することができる。新しいパイロットは、データ送信のために使用されるビームと同じビームを使用してプリコードされ得、すべてのビームのプリコードされたチャネル推定値を与えることができる。代わりに、レガシーデバイスに送られる基準信号を実装し、新しいパイロット（専用基準信号）をデータ復調のためのチャネル推定のためにレガシーＲＳとともに使用することができるように、それらの新しいパイロットを設計することができる。たとえば、基準信号は、アンプリコードするか、またはデータのために使用されるものから独立して固定のプリコーディングを使用することでき、レガシーＲＳによってカバーされない方向を表すことができる。次いで、レガシーＲＳならびに新しいパイロットを使用し、送信ビームとレガシーＲＳおよび新しいパイロットの方向との間のマッピングを利用して、データ復調のためのプリコードされたチャネルを推定することができる。他の態様では、基準信号はまた、特定のＵＥのためにプリコードし、レガシーＲＳによって与えられていないプリコードされたチャネルの方向を与えることができる。
【００８２】
したがって、いくつかの態様によれば、レガシーＲＳと非レガシーＵＥのために与えられた新しい専用ＲＳとの使用とともに、復調のためのチャネル推定を行うことができる。新しい専用ＲＳは、ＵＥへの送信中に使用されるビームの方向に沿ったチャネル（および実行されたプリコーディング演算）に関する情報を与えることができる。いくつかの態様では、専用ＲＳは、プリコードされたチャネル全体を表すことができ、または、代替として、レガシーＲＳによって表されないプリコードされたチャネルの方向を表すことができる。プリコードされたチャネルは、ＵＥと高次ＭＩＭＯ演算のための単一のセルにおけるアンテナとの間、またはＵＥとネットワークＭＩＭＯ演算中に協調している様々なセルからのアンテナとの間のチャネルに対応することができる。
【００８３】
いくつかの態様によれば、ＵＥへのＤＬ制御シグナリングは、ＵＥへの送信のために使用されるプリコーディング行列（またはビーム方向）に関するいくつか情報を与えることができる。これらのビーム方向は、（場合によっては、ＬＴＥ−Ａでは８つまでの）複数のアンテナを装備した単一のセルのアンテナによって形成されたビーム、またはＵＥに関与している協調送信スキームに参加している複数のセル（またはサイト）のアンテナによって形成されたビームに対応することができる。これらの協調スキームは、たとえば、分散ビームフォーミング、または、代替的に、結合処理（joint processing）および信号処理などの異なる形態とすることができる。
【００８４】
いくつかの態様によれば、制御シグナリングによってＵＥに搬送される情報は、以下の様々なタイプであり得る。
【００８５】
Ａ）チャネル全体に対応するプリコーディング行列インジケータ。この場合、専用ＲＳは、レガシーＲＳによってカバーされない方向に沿ったチャネルを表すことができ、ＵＥは、レガシーＲＳと専用ＲＳとを使用して結合チャネル推定を実行することができる。
【００８６】
Ｂ）レガシーＲＳによって表されるプリコードされたチャネルの方向に対応するプリコーディング行列インジケータ。この場合、専用ＲＳは、レガシーＲＳによって表されないプリコードされたチャネルの方向を表す。ＵＥは、レガシーＲＳとプリコードされた専用ＲＳとに対応するプリコーディング情報を使用することによって、プリコードされたチャネル全体の推定値を得る。
【００８７】
Ｃ）ＵＥに関与している協調スキームに関与するセルの全部（または一部）によって使用されるプリコーディングベクトルに対するインジケータ。
【００８８】
周波数依存性プリコーディング演算が使用される、すなわち、帯域の様々な部分に対して複数のプリコーディング行列が使用されるシナリオでは、ＤＬ制御シグナリングは、それらの一部または全部に関する情報を搬送することができる。
【００８９】
図５〜図６を参照すると、レガシーユーザ機器のための送信アンテナをグループ化することと、ユーザ機器（ＵＥ）のための遅延情報を通信することとに関係する方法が示される。説明を簡単にするために、方法を一連の行為として図示し説明するが、いくつかの行為は、１つまたは複数の実施形態によれば、本明細書で図示し説明する順序とは異なる順序で、および／または他の行為と同時に行われるので、方法は行為の順序によって限定されないことを理解および諒解されたい。たとえば、方法は、状態図など、一連の相互に関係する状態または事象として代替的に表現できることを、当業者は理解および諒解するであろう。さらに、１つまたは複数の実施形態による方法を実施するために、図示のすべての行為が必要とされるわけではない。
【００９０】
図５を参照すると、Ｌｏｎｇ  Ｔｅｒｍ  Ｅｖｏｌｕｔｉｏｎ  Ａｄｖａｎｃｅ（ＬＴＥ  Ａ）を最適化することを容易にする方法５００が示されている。参照番号５０２において、ユーザ機器（ＵＥ）の少なくとも２つのグループを識別する。参照番号５０４において、異なる数のアンテナポートをＵＥの少なくとも２つのグループにシグナリングする。参照番号５０６において、ＵＥの各グループに対応するアンテナポートを作成し、各アンテナポートは、いくつかの物理送信アンテナのサブセットを含み、アンテナポートの数は、ＵＥのそのグループにシグナリングされるアンテナポートの数である。
【００９１】
次に図６を参照すると、アンテナポートのセットを識別することを容易にする方法６００が示されている。参照番号６０２において、アンテナポートのセットに関係する基準信号を送信するために採用される遅延および線形結合のうちの少なくとも１つを含むマッピング情報を受信する。参照番号６０４において、アンテナポートに関係する基準信号を受信する。参照番号６０８において、各アンテナポートを識別するために、セットに関係する基準信号を復号し、復号することは、マッピング情報を利用することである。
【００９２】
さらに、図示されていないが、方法６００は、測定、基地局へのフィードバック、または復調技法のうちの少なくとも１つのためにＵＥの第１のグループのアンテナポートのための送信された基準信号を利用することと、測定および基地局へのフィードバックのためにＵＥの第２のグループのアンテナポートのための送信された基準信号を利用することとをさらに含むことができる。
【００９３】
図７に、ワイヤレス通信システムにおいて送信アンテナグループを作成することを容易にするモバイルデバイス７００を示す。モバイルデバイス７００は、たとえば受信アンテナ（図示せず）から信号を受信する受信機７０２を備え、受信信号に対して典型的な動作（たとえば、フィルタ処理、増幅、ダウンコンバートなど）を行い、サンプルを得るために調整された信号をデジタル化する。受信機７０２は、受信されたシンボルを復調し、チャネル推定のためにプロセッサ７０６に供給する復調器７０４を備えることができる。プロセッサ７０６は、受信機７０２によって受信された情報の分析および／または送信機７１６による送信のための情報の生成に専用のプロセッサ、モバイルデバイス７００の１つまたは複数のコンポーネントを制御するプロセッサ、ならびに／あるいは受信機７０２によって受信された情報の分析、送信機７１６による送信のための情報の生成、およびモバイルデバイス７００の１つまたは複数のコンポーネントの制御を行うプロセッサとすることができる。
【００９４】
モバイルデバイス７００は、さらに、メモリ７０８を備えることができ、メモリ７０８は、プロセッサ７０６に動作可能に結合され、送信すべきデータ、受信されたデータ、利用可能なチャネルに関係する情報、分析された信号および／または干渉強度に関連するデータ、割当てチャネル、電力、レートなどに関係する情報、ならびにチャネルを推定し、そのチャネルを介して通信するための他の適切な情報を記憶することができる。メモリ７０８は、（たとえば、パフォーマンスベース、容量ベースなどの）チャネルの推定および／または利用に関連するプロトコルおよび／またはアルゴリズムをさらに記憶することができる。
【００９５】
本明細書で説明するデータストア（たとえばメモリ７０８）は、揮発性メモリもしくは不揮発性メモリとすることができ、または揮発性メモリと不揮発性メモリの両方を含むことができることを諒解されたい。限定ではなく例として、不揮発性メモリは、読取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、またはフラッシュメモリを含むことができる。揮発性メモリは、外部キャッシュメモリとして動作するランダムアクセスメモリ（ＲＡＭ）を含むことができる。限定ではなく例として、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、シンクリンクＤＲＡＭ（ＳＬＤＲＡＭ）、およびダイレクトランバスＲＡＭ（ＤＲＲＡＭ）など、多くの形態が利用可能である。主題のシステムおよび方法のメモリ７０８は、これらおよび他の適切なタイプのメモリを、それらに限定されることなく、備えるものとする。
【００９６】
プロセッサ７０６は、さらに、収集モジュール７１０および／または基準信号モジュール７１２に動作可能に結合できる。収集モジュール７１０は、送信アンテナを含む各グループのための線形結合技法のために利用される遅延を受信することができる。収集ジュール７１０は、さらに、送信アンテナの各生成されたグループに関連する基準信号を受信することができ、各グループは、いくつかの利用可能な送信アンテナのうち少なくとも１つの送信アンテナを含む。基準信号モジュール７１２は、各グループ内に含まれる各送信アンテナをアンプリコードまたは復号し、識別するために、収集されたデータ（たとえば、遅延および／または基準信号）を活用することができる。したがって、基準信号モジュール７１０は、作成されたグループに割り当てられた利用可能な送信アンテナの識別を可能にすることができる。
【００９７】
モバイルデバイス７００は、またさらに、信号を変調する変調器７１４と、信号を、たとえば基地局、別のモバイルデバイスなどに送信する送信機７１６とをそれぞれ備える。プロセッサ６０６とは別個のものとして図示されているが、収集モジュール７１０、基準信号モジュール７１２、復調器７０４、および／または変調器７１４は、プロセッサ７０６または複数のプロセッサ（図示せず）の一部とすることができることを諒解されたい。
【００９８】
図８は、上述のワイヤレス通信環境において送信アンテナ利用を強化することを容易にするシステム８００の図である。システム８００は基地局８０２（たとえば、アクセスポイント、．．．）を備え、基地局８０２は、複数の受信アンテナ８０６を介して１つまたは複数のモバイルデバイス８０４から（１つまたは複数の）信号を受信する受信機８１０と、送信アンテナ８０８を介して１つまたは複数のモバイルデバイス８０４に送信する送信機８２４とを有する。受信機８１０は、受信アンテナ８０６から情報を受信することができ、受信された情報を復調する復調器８１２に動作可能に関連する。復調されたシンボルは、図７に関して上述したプロセッサと同様とすることができるプロセッサ８１４によって分析され、プロセッサ８１４は、信号（たとえばパイロット）強度および／または干渉強度、（１つまたは複数の）モバイルデバイス８０４（または異種基地局（図示せず））に送信されるべきデータまたはそこから受信されるべきデータを推定することに関係する情報、および／または本明細書に記載の様々な動作および機能を行うことに関係する他の適切な情報を記憶するメモリ８１６に結合される。
【００９９】
プロセッサ８１４は、さらに、グループモジュール８１８および／または線形結合モジュール８２０に結合される。グループモジュール８１８は、利用可能な送信アンテナを識別し、利用可能な送信アンテナをＮ個のグループに編成することができ、ただし、Ｎは、正の整数であり、アドバタイズアンテナの数である。線形結合モジュール８２０は、限定はしないが、グループ内の各アンテナへの巡回遅延ダイバーシティなどの線形結合技法を採用することができる。さらに、プロセッサ８１４とは別個のものとして図示されているが、グループモジュール８１８、線形結合モジュール８２０、復調器８１２、および／または変調器８２２は、プロセッサ８１４または複数のプロセッサ（図示せず）の一部とすることができることを諒解されたい。
【０１００】
図９に、例示的なワイヤレス通信システム９００を示す。ワイヤレス通信システム９００には、簡潔のために、１つの基地局９１０と、１つのモバイルデバイス９５０とを示してある。ただし、システム９００は、２つ以上の基地局および／または２つ以上のモバイルデバイスを含むことができ、追加の基地局および／またはモバイルデバイスは、以下で説明する例示的な基地局９１０およびモバイルデバイス９５０と実質的に同様または異なるものとすることができることを諒解されたい。さらに、基地局９１０および／またはモバイルデバイス９５０は、それらの間のワイヤレス通信を容易にするために、本明細書で説明するシステム（図１〜図３および図７〜図８）、技法／構成（図４）、および／または方法（図５〜図６）を採用することができることを諒解されたい。
【０１０１】
基地局９１０において、いくつかのデータストリームのトラフィックデータがデータソース９１２から送信（ＴＸ）データプロセッサ９１４に供給される。一例によれば、各データストリームは、それぞれのアンテナを介して送信できる。ＴＸデータプロセッサ９１４は、トラフィックデータストリーム用に選択された特定の符号化スキームに基づいて、そのデータストリームをフォーマット化し、コード化し、インタリーブして、コード化データを与える。
【０１０２】
各データストリームのコード化データは、直交周波数分割多重（ＯＦＤＭ）技法を使用してパイロットデータと多重化できる。追加または代替として、パイロットシンボルは、周波数分割多重化（ＦＤＭ）、時分割多重化（ＴＤＭ）、または符号分割多重化（ＣＤＭ）できる。パイロットデータは、一般に、既知の方法で処理される既知のデータパターンであり、チャネル応答を推定するためにモバイルデバイス９５０において使用できる。各データストリームの多重化されたパイロットおよびコード化データは、そのデータストリーム用に選択された特定の変調スキーム（たとえば、２相位相偏移変調（ＢＰＳＫ）、４相位相変調（ＱＰＳＫ）、Ｍ層位相変調（Ｍ−ＰＳＫ）、多値直交振幅変調（Ｍ−ＱＡＭ）など）に基づいて変調（たとえば、シンボルマッピング）して、変調シンボルを供給することができる。各データストリームのデータレート、符号化、および変調は、プロセッサ９３０によって実行または与えられる命令によって判断できる。
【０１０３】
データストリームの変調シンボルはＴＸ  ＭＩＭＯプロセッサ９２０に供給され、ＴＸ  ＭＩＭＯプロセッサ９２０は、（たとえば、ＯＦＤＭ用に）変調シンボルをさらに処理することができる。次いで、ＴＸ  ＭＩＭＯプロセッサ９２０は、ＮT個の変調シンボルストリームをＮT個の送信機（ＴＭＴＲ）９２２ａ〜９２２ｔに供給する。様々な実施形態では、ＴＸ  ＭＩＭＯプロセッサ９２０は、データストリームのシンボルと、シンボルの送信元のアンテナとにビームフォーミング重みを適用する。
【０１０４】
各送信機９２２は、それぞれのシンボルストリームを受信し、処理して、１つまたは複数のアナログ信号を供給し、さらに、それらのアナログ信号を調整（たとえば、増幅、フィルタ処理、およびアップコンバート）して、ＭＩＭＯチャネルを介して送信するのに適した変調信号を供給する。さらに、送信機９２２ａ〜９２２ｔからのＮT個の変調信号は、それぞれＮT個のアンテナ９２４ａ〜９２４ｔから送信される。
【０１０５】
モバイルデバイス９５０では、送信された変調信号はＮR個のアンテナ９５２ａ〜９５２ｒによって受信され、各アンテナ９５２からの受信信号は、それぞれの受信機（ＲＣＶＲ）９５４ａ〜９５４ｒに供給される。各受信機９５４は、それぞれの信号を調整（たとえば、フィルタ処理、増幅、およびダウンコンバート）し、調整された信号をデジタル化して、サンプルを与え、さらに、それらのサンプルを処理して、対応する「受信」シンボルストリームを供給する。
【０１０６】
ＲＸデータプロセッサ９６０は、特定の受信機処理技法に基づいてＮR個の受信機９５４からＮR個の受信シンボルストリームを受信し、処理して、ＮT個の「検出」シンボルストリームを与えることができる。ＲＸデータプロセッサ９６０は、各検出シンボルストリームを復調し、デインタリーブし、復号して、データストリームのトラフィックデータを復元することができる。ＲＸデータプロセッサ９６０による処理は、基地局９１０においてＴＸ  ＭＩＭＯプロセッサ９２０およびＴＸデータプロセッサ９１４によって実行される処理を補足するものである。
【０１０７】
プロセッサ９７０は、上述のように、どのプリコーディング行列を利用すべきかを周期的に判断することができる。さらに、プロセッサ９７０は、行列インデックス部分とランク値部分とを備える逆方向リンクメッセージを作成することができる。
【０１０８】
逆方向リンクメッセージは、通信リンクおよび／または受信データストリームに関する様々なタイプの情報を備えることができる。逆方向リンクメッセージは、データソース９３６から複数のデータストリームのトラフィックデータをも受信するＴＸデータプロセッサ９３８によって処理され、変調器９８０によって変調され、送信機９５４ａ〜９５４ｒによって調整され、基地局９１０に戻される。
【０１０９】
基地局９１０において、モバイルデバイス９５０からの変調信号は、アンテナ９２４によって受信され、受信機９２２によって調整され、復調器９４０によって復調され、ＲＸデータプロセッサ９４２によって処理されて、モバイルデバイス９５０によって送信された逆方向リンクメッセージが抽出される。さらに、プロセッサ９３０は、抽出されたメッセージを処理して、ビームフォーミング重みを判断するためにどのプリコーディング行列を使用すべきかを判断することができる。
【０１１０】
プロセッサ９３０および９７０は、それぞれ基地局９１０およびモバイルデバイス９５０における動作を指示（たとえば、制御、調整、管理など）することができる。それぞれのプロセッサ９３０および９７０は、プログラムコードおよびデータを記憶するメモリ９３２および９７２に関連付けできる。プロセッサ９３０および９７０はまた、それぞれ、アップリンクとダウンリンクとに関して周波数推定値とインパルス応答推定値とを導き出すために計算を実行することができる。
【０１１１】
本明細書で説明する実施形態は、ハードウェア、ソフトウェア、ファームウェア、ミドルウェア、マイクロコード、またはそれらの任意の組合せで実装できることを理解されたい。ハードウェア実装の場合、処理ユニットは、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、本明細書で説明する機能を実行するように設計された他の電子ユニット、またはそれらの組合せの中で実装できる。
【０１１２】
実施形態は、ソフトウェア、ファームウェア、ミドルウェアまたはマイクロコード、プログラムコードまたはコードセグメントで実装した場合、記憶コンポーネントなどの機械可読媒体に記憶できる。コードセグメントは、プロシージャ、関数、サブプログラム、プログラム、ルーチン、サブルーチン、モジュール、ソフトウェアパッケージ、クラス、または命令、データ構造もしくはプログラムステートメントの任意の組合せを表すことができる。コードセグメントは、情報、データ、引数、パラメータ、またはメモリ内容をパスおよび／または受信することによって、別のコードセグメントまたはハードウェア回路に結合できる。情報、引数、パラメータ、データなどは、メモリ共有、メッセージパッシング、トークンパッシング、ネットワーク送信などを含む、適切な手段を使用してパス、フォワーディング、または送信することができる。
【０１１３】
ソフトウェア実装の場合、本明細書で説明する技法は、本明細書で説明する機能を実行するモジュール（たとえば、プロシージャ、関数など）を用いて実装できる。ソフトウェアコードは、メモリユニットに記憶し、プロセッサによって実行することができる。メモリユニットは、プロセッサの内部またはプロセッサの外部に実装でき、その場合、当技術分野で知られているように様々な手段によってプロセッサに通信可能に結合できる。
【０１１４】
図１０を参照すると、Ｌｏｎｇ  Ｔｅｒｍ  Ｅｖｏｌｕｔｉｏｎ  Ａｄｖａｎｃｅ（ＬＴＥ  Ａ）を最適化するシステム１０００が示されている。たとえば、システム１０００は、少なくとも部分的に基地局、モバイルデバイスなどの中に常駐することができる。システム１０００は機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。システム１０００は、連携して動作することができる電気コンポーネントの論理グルーピング１００２を含む。論理グルーピング１００２は、ユーザ機器（ＵＥ）１００４の少なくとも２つのグループを識別するための電気コンポーネントを含むことができる。さらに、論理グルーピング１００２は、異なる数のアンテナポートをＵＥ１００６の少なくとも２つのグループにシグナリングするための電気コンポーネントを備えることができる。さらに、論理グルーピング１００２はＵＥの各々グループに対応するアンテナポートを作成するための電気コンポーネントを含むことができ、各アンテナポートはいくつかの物理送信アンテナのサブセットを含み、アンテナポートの数はＵＥ１００８のそのグループにシグナリングされるアンテナポートの数である。さらに、システム１０００は、電気コンポーネント１００４、１００６、および１００８に関連する機能を実行するための命令を保持するメモリ１０１０を含むことができる。メモリ１０１０の外部にあるものとして示されているが、電気コンポーネント１００４、１００６、および１００８の１つまたは複数は、メモリ１０１０の内部に存在することができることを理解されたい。
【０１１５】
図１１を参照すると、ワイヤレス通信環境において送信アンテナを識別することを可能にするシステム１１００が示されている。システム１１００は、たとえば、基地局、モバイルデバイスなどの中に常駐することができる。図示のように、システム１１００はプロセッサ、ソフトウェア、またはそれらの組合せ（たとえば、ファームウェア）によって実装される機能を表すことができる機能ブロックを含む。論理グルーピング１１０２は、アンテナポート１１０４のセットに関係する基準信号を送信するために採用される遅延および線形結合の少なくとも１つを含むマッピング情報を受信するための電気コンポーネントを含むことができる。さらに、論理グルーピング１１０２は、アンテナポート１１０６に関係する基準信号を受信するための電気コンポーネントを含むことができる。さらに、論理グルーピング１１０２は各アンテナポートを識別するためにセットに関係する基準信号を復号するための電気コンポーネントを備えることができ、復号することは、マッピング情報１１０８を利用することである。さらに、システム１１００は、電気コンポーネント１１０４、１１０６、および１１０８に関連する機能を実行するための命令を保持するメモリ１１１０を含むことができる。メモリ１１１０の外部にあるものとして図示されているが、電気コンポーネント１１０４、１１０６、および１１０８はメモリ１１１０の内部に存在することができることを理解されたい。
【０１１６】
以上の説明は、１つまたは複数の実施形態の例を含む。もちろん、上述の実施形態について説明する目的で、コンポーネントまたは方法のあらゆる考えられる組合せについて説明することは不可能であるが、当業者なら、様々な実施形態の多数のさらなる組合せおよび置換が可能であることを認識できよう。したがって、説明した実施形態は、添付の特許請求の範囲の趣旨および範囲内に入るすべてのそのような改変形態、変更形態および変形形態を包含するものとする。さらに、「含む（include）」という用語は、発明を実施するための形態または特許請求の範囲のいずれかで使用される限り、「備える（comprising）」という用語を使用すると請求項における移行語と解釈されるように「備える（comprising）」と同様に包括的なものとする。
以下に、本願出願の当初の特許請求の範囲に記載された発明を付記する。
［１］  ユーザ機器（ＵＥ）の少なくとも２つのグループを識別することと、異なる数のアンテナポートをＵＥの前記少なくとも２つのグループにシグナリングすることと、ＵＥの各グループに対応するアンテナポートを作成すること、を備え、各アンテナポートは、いくつかの物理送信アンテナのサブセットを含み、アンテナポートの数は、ＵＥのそのグループにシグナリングされるアンテナポートの数である、ワイヤレス通信システムにおいて使用される方法。
［２］  ＵＥの異なるグループのための前記アンテナポートの一部が同じである、［１］に記載の方法。
［３］  前記アンテナポートの一部を得るために、物理アンテナへの線形結合が採用される、［１］に記載の方法。
［４］  送信ダイバーシティを周波数ダイバーシティに変換するために前記線形結合が選択される、［３］に記載の方法。
［５］  前記線形結合は、周波数依存性である、［３］に記載の方法。
［６］  前記線形結合は、巡回遅延ダイバーシティ（ＣＤＤ）である、［３］に記載の方法。
［７］  ＵＥの特定のグループのための異なるアンテナポートのために採用される前記線形結合が線形独立である、［３］に記載の方法。
［８］  より大きい数のアドバタイズされたアンテナポートをもつＵＥの第１のグループに対応する前記アンテナポートの線形結合は、より小さい数のアンテナポートをもつＵＥの第２のグループのためのアンテナポートとして使用される、［１］に記載の方法。
［９］  前記線形結合および遅延をＵＥの前記第１のグループに通信することをさらに備える、［８］に記載の方法。
［１０］  ＵＥのグループにアドバタイズされた前記アンテナポートを使用して、基準信号（ＲＳ）、物理制御フォーマットインジケータチャネル（ＰＣＦＩＣＨ）、物理ハイブリッドＡＲＱチャネル（ＰＨＩＣＨ）、および物理ダウンリンク制御チャネル（ＰＤＣＣＨ）ならびにＰＤＳＣＨのうちの少なくとも１つをＵＥの前記グループに送信することをさらに備える、［１］に記載の方法。
［１１］  ＵＥの第２のグループにアドバタイズされた前記アンテナポートを使用して、ＰＣＦＩＣＨ、ＰＨＩＣＨ、ＰＤＣＣＨをＵＥの１つのグループに送ることをさらに備える、［１］に記載の方法。
［１２］  基地局へのフィードバックを与えるＵＥのグループをさらに備え、前記フィードバックは、ＵＥのグループのサブセットのみにアドバタイズされた前記アンテナポートのための少なくとも１つのチャネル品質状態に関係する、［１］に記載の方法。
［１３］  周波数分散型である物理ダウンリンク共有チャネル（ＰＤＳＣＨ）リソース上でＵＥへの送信をスケジュールすることと、前記ＵＥが属しているＵＥのグループに対応する前記アンテナポートを使用して、ＰＤＳＣＨをＵＥに送信することと、をさらに備える、請求項１］に記載の方法。
［１４］  基準信号をＵＥのグループに送信することをさらに備え、前記基準信号は、少なくとも１つの対応するアドバタイズされたアンテナポートに関係する、［１］に記載の方法。
［１５］  ＵＥの異なるグループへの前記送信された基準信号は、異なるパターン、異なる密度および異なる周期性を有する、［１４］に記載の方法。
［１６］  ユーザ機器（ＵＥ）の少なくとも２つのグループを識別し、異なる数のアンテナポートをＵＥの前記少なくとも２つのグループにシグナリングし、ＵＥの各グループに対応する少なくとも１つのアンテナポートを作成する、ように構成された少なくとも１つのプロセッサと、なお、各アンテナポートは、いくつかの物理送信アンテナのサブセットを含み、アンテナポートの数は、ＵＥのそのグループにシグナリングされるアンテナポートの数である、前記少なくとも１つのプロセッサに結合されたメモリと、を備える、ワイヤレス通信装置。
［１７］  ＵＥの異なるグループのための前記アンテナポートの一部が同じである、［１６］に記載のワイヤレス通信装置。
［１８］  前記アンテナポートの一部を得るために、物理アンテナ上で線形結合が採用される、［１６］に記載のワイヤレス通信装置。
［１９］  送信ダイバーシティを周波数ダイバーシティに変換するために前記線形結合が選択される、［１８］に記載のワイヤレス通信装置。
［２０］  前記線形結合は、周波数依存性である、［１８］に記載のワイヤレス通信装置。
［２１］  前記線形結合は、巡回遅延ダイバーシティ（ＣＤＤ）である、［１８］に記載のワイヤレス通信装置。
［２２］  ＵＥの特定のグループのために作成された異なるアンテナポートのために採用される前記線形結合は、線形独立である、［１８］に記載のワイヤレス通信装置。
［２３］  より大きい数のアドバタイズされたアンテナポートをもつＵＥの第１のグループに対応する前記アンテナポートの線形結合は、より小さい数のアンテナポートをもつＵＥの第２のグループのためのアンテナポートとして使用される、［１６］に記載のワイヤレス通信装置。
［２４］  前記線形結合および遅延をＵＥの前記第１のグループに通信するように構成された少なくとも１つのプロセッサをさらに備える、［２３］に記載のワイヤレス通信装置。
［２５］  ＵＥのグループにアドバタイズされた前記アンテナポートを使用して、基準信号（ＲＳ）、物理制御フォーマットインジケータチャネル（ＰＣＦＩＣＨ）、物理ハイブリッドＡＲＱチャネル（ＰＨＩＣＨ）、および物理ダウンリンク制御チャネル（ＰＤＣＣＨ）ならびにＰＤＳＣＨのうちの少なくとも１つをＵＥの前記グループに送信するように構成された少なくとも１つのプロセッサをさらに備える、［１６］に記載のワイヤレス通信装置。
［２６］  ＵＥの第２のグループにアドバタイズされた前記アンテナポートを使用して、ＰＣＦＩＣＨ、ＰＨＩＣＨ、ＰＤＣＣＨをＵＥの１つのグループに送るように構成された少なくとも１つのプロセッサをさらに備える、［１６］に記載のワイヤレス通信装置。
［２７］
ＵＥのグループからのフィードバックを与えるように構成された少なくとも１つのプロセッサをさらに備え、前記フィードバックは、ＵＥのグループのサブセットのみにアドバタイズされた前記アンテナポートのための少なくとも１つのチャネル品質状態に関係する、［１６］に記載のワイヤレス通信装置。
［２８］  周波数分散型である物理ダウンリンク共有チャネル（ＰＤＳＣＨ）リソース上でＵＥへの送信をスケジュールするように構成された少なくとも１つのプロセッサと、
前記ＵＥが属しているＵＥのグループに対応する前記アンテナポートを使用して、ＰＤＳＣＨをＵＥに送信するように構成された少なくとも１つのプロセッサと、  をさらに備える、請求項１６］に記載のワイヤレス通信装置。
［２９］  基準信号をＵＥのグループに送信するように構成された少なくとも１つのプロセッサをさらに備え、前記基準信号は、少なくとも１つの対応するアドバタイズされたアンテナポートに関係する、［１６］に記載のワイヤレス通信装置。
［３０］  ＵＥの異なるグループへの前記送信された基準信号は、異なるパターン、異なる密度および異なる周期性を有する、［２９］に記載のワイヤレス通信装置。
［３１］  ユーザ機器（ＵＥ）の少なくとも２つのグループを識別するための手段と、異なる数のアンテナポートをＵＥの前記少なくとも２つのグループにシグナリングするための手段と、ＵＥの各グループに対応するアンテナポートを作成するための手段と、を備え、各アンテナポートは、いくつかの物理送信アンテナのサブセットを含み、アンテナポートの数は、ＵＥのそのグループにシグナリングされるアンテナポートの数である、送信アンテナの構成を最適化するワイヤレス通信装置。
［３２］  ＵＥの異なるグループのための前記アンテナポートの一部が同じである、［３１］に記載のワイヤレス通信装置。
［３３］  前記アンテナポートの一部を得るために、物理アンテナ上で線形結合が採用される、［３１］に記載のワイヤレス通信装置。
［３４］  送信ダイバーシティを周波数ダイバーシティに変換するために前記線形結合が選択される、［３３］に記載のワイヤレス通信装置。
［３５］  前記線形結合は、周波数依存性である、［３３］に記載のワイヤレス通信装置。
［３６］  前記線形結合は、巡回遅延ダイバーシティ（ＣＤＤ）である、［３３］に記載のワイヤレス通信装置。
［３７］  ＵＥの特定のグループのために作成された異なるアンテナポートのために採用される前記線形結合が線形独立である、［３３］に記載のワイヤレス通信装置。
［３８］  より大きい数のアドバタイズされたアンテナポートをもつＵＥの第１のグループに対応する前記アンテナポートの線形結合は、より小さい数のアンテナポートをもつＵＥの第２のグループのためのアンテナポートとして使用される、［３１］に記載のワイヤレス通信装置。
［３９］  前記線形結合および遅延をＵＥの前記第１のグループに通信するための手段をさらに備える、［３８］に記載のワイヤレス通信装置。
［４０］  ＵＥのグループにアドバタイズされた前記アンテナポートを使用して、基準信号（ＲＳ）、物理制御フォーマットインジケータチャネル（ＰＣＦＩＣＨ）、物理ハイブリッドＡＲＱチャネル（ＰＨＩＣＨ）、および物理ダウンリンク制御チャネル（ＰＤＣＣＨ）ならびにＰＤＳＣＨのうちの少なくとも１つをＵＥの前記グループに送信するための手段をさらに備える、［３１］に記載のワイヤレス通信装置。
［４１］  ＵＥの第２のグループにアドバタイズされた前記アンテナポートを使用して、ＰＣＦＩＣＨ、ＰＨＩＣＨ、ＰＤＣＣＨをＵＥの１つのグループに送るための手段をさらに備える、［３１］に記載のワイヤレス通信装置。
［４２］  ＵＥのグループからのフィードバックを与えるための手段をさらに備え、前記フィードバックは、ＵＥのグループのサブセットのみにアドバタイズされた前記アンテナポートのための少なくとも１つのチャネル品質状態に関係する、［３１］に記載のワイヤレス通信装置。
［４３］  周波数分散型である物理ダウンリンク共有チャネル（ＰＤＳＣＨ）リソース上でＵＥへの送信をスケジュールするための手段と、前記ＵＥが属しているＵＥのグループに対応する前記アンテナポートを使用して、ＰＤＳＣＨをＵＥに送信するための手段と、をさらに備える、請求項３１］に記載のワイヤレス通信装置。
［４４］  基準信号をＵＥのグループに送信するための手段をさらに備え、前記基準信号は、少なくとも１つの対応するアドバタイズされたアンテナポートに関係する、［３１］に記載のワイヤレス通信装置。
［４５］  ＵＥの異なるグループへの前記送信された基準信号は、異なるパターン、異なる密度および異なる周期性を有する、［４４］に記載のワイヤレス通信装置。
［４６］  コンピュータ可読媒体を備えるコンピュータプログラム製品であって、前記コンピュータ可読媒体は、少なくとも１つのコンピュータに、ユーザ機器（ＵＥ）の少なくとも２つのグループを識別させるためのコードと、少なくとも１つのコンピュータに、異なる数のアンテナポートをＵＥの前記少なくとも２つのグループにシグナリングさせるためのコードと、少なくとも１つのコンピュータに、ＵＥの各グループに対応するアンテナポートを作成させるためのコードと、を備え、各アンテナポートは、いくつかの物理送信アンテナのサブセットを含み、アンテナポートの数は、ＵＥのそのグループにシグナリングされるアンテナポートの数である、コンピュータプログラム製品。
［４７］  ＵＥの異なるグループのための前記アンテナポートの一部が同じである、［４６］に記載のコンピュータプログラム製品。
［４８］  前記アンテナポートの一部を得るために、物理アンテナ上で線形結合が採用される、［４６］に記載のコンピュータプログラム製品。
［４９］  送信ダイバーシティを周波数ダイバーシティに変換するために前記線形結合が選択される、［４８］に記載のコンピュータプログラム製品。
［５０］  前記線形結合が周波数依存性である、［４８］に記載のコンピュータプログラム製品。
［５１］  前記線形結合は、巡回遅延ダイバーシティ（ＣＤＤ）である、［４８］に記載のコンピュータプログラム製品。
［５２］  ＵＥの特定のグループのために作成された異なるアンテナポートのために採用される前記線形結合が線形独立である、［４８］に記載のコンピュータプログラム製品。
［５３］  より大きい数のアドバタイズされたアンテナポートをもつＵＥの第１のグループに対応する前記アンテナポートの線形結合は、より小さい数のアンテナポートをもつＵＥの第２のグループのためのアンテナポートとして使用される、［４６］に記載のコンピュータプログラム製品。
［５４］  少なくとも１つのコンピュータに、前記線形結合および遅延をＵＥの前記第１のグループに通信させるためのコードを備える前記コンピュータ可読媒体をさらに備える、［５３］に記載のコンピュータプログラム製品。
［５５］  少なくとも１つのコンピュータに、ＵＥのグループにアドバタイズされた前記アンテナポートを使用して、基準信号（ＲＳ）、物理制御フォーマットインジケータチャネル（ＰＣＦＩＣＨ）、物理ハイブリッドＡＲＱチャネル（ＰＨＩＣＨ）、および物理ダウンリンク制御チャネル（ＰＤＣＣＨ）ならびにＰＤＳＣＨのうちの少なくとも１つをＵＥの前記グループに送信させるためのコードを備える前記コンピュータ可読媒体をさらに備える、［４６］に記載のコンピュータプログラム製品。
［５６］  少なくとも１つのコンピュータに、ＵＥの第２のグループにアドバタイズされた前記アンテナポートを使用して、ＰＣＦＩＣＨ、ＰＨＩＣＨ、ＰＤＣＣＨをＵＥの１つのグループに送らせるためのコードを備える前記コンピュータ可読媒体をさらに備える、［４６］に記載のコンピュータプログラム製品。
［５７］  少なくとも１つのコンピュータに、ＵＥのグループからのフィードバックを与えさせるためのコードを備える前記コンピュータ可読媒体をさらに備え、前記フィードバックは、ＵＥのグループのサブセットのみにアドバタイズされた前記アンテナポートのための少なくとも１つのチャネル品質状態に関係する、［４６］に記載のコンピュータプログラム製品。
［５８］  少なくとも１つのコンピュータに、周波数分散型である物理ダウンリンク共有チャネル（ＰＤＳＣＨ）リソース上でＵＥへの送信をスケジュールさせるためのコードと、少なくとも１つのコンピュータに、前記ＵＥが属しているＵＥのグループに対応する前記アンテナポートを使用して、ＰＤＳＣＨをＵＥに送信させるためのコードと、を備える前記コンピュータ可読媒体をさらに備える、請求項４６］に記載のコンピュータプログラム製品。
［５９］  少なくとも１つのコンピュータに、基準信号をＵＥのグループに送信させるためのコードを備える前記コンピュータ可読媒体をさらに備え、前記基準信号は、少なくとも１つの対応するアドバタイズされたアンテナポートに関係する、［４６］に記載のコンピュータプログラム製品。
［６０］  ＵＥの異なるグループへの前記送信された基準信号は、異なるパターン、異なる密度および異なる周期性を有する、［５８］に記載のコンピュータプログラム製品。
［６１］  アンテナポートのセットを識別することを容易にするワイヤレス通信システムにおいて使用される方法であって、前記アンテナポートのセットに関係する基準信号を送信するために採用される遅延および線形結合のうちの少なくとも１つを含むマッピング情報を受信することと、前記アンテナポートに関係する基準信号を受信することと、
各アンテナポートを識別するために前記アンテナポートのセットに関係する前記基準信号を復号することと、を備え、前記復号することは、前記マッピング情報を利用することである、方法。
［６２］  送信アンテナポートの各々に対応するチャネルを推定することをさらに備える、［６１］に記載の方法。
［６３］  ＵＥのグループのアンテナポートへの少なくとも１つの物理送信アンテナに関係する前記マッピング情報を受信することと、前記物理送信アンテナのチャネルを推定することと、をさらに備える、請求項６１］に記載の方法。
［６４］  前記線形結合は、巡回遅延ダイバーシティ（ＣＤＤ）である、［６１］に記載の方法。
［６５］  測定、基地局へのフィードバック、または復調技法のうちの少なくとも１つのためにＵＥの第１のグループのアンテナポートのための送信された基準信号を利用することと、測定および基地局へのフィードバックのためにＵＥの第２のグループのアンテナポートのための送信された基準信号を利用することと、を備える、ワイヤレス通信システムにおいて使用される方法。
［６６］  前記フィードバックは、チャネル品質、プリコーディング行列、ランク情報、またはチャネル指向性情報のうちの少なくとも１つを備える、［６５］に記載の方法。
［６７］  アンテナポートのセットに関係する基準信号を送信するために採用される遅延および線形結合のうちの少なくとも１つを含むマッピング情報を受信し、前記アンテナポートに関係する基準信号を受信し、各アンテナポートを識別するためにアンテナポートの前記セットに関係する前記基準信号を復号するように構成された少なくとも１つのプロセッサと、なお、前記復号することは、前記マッピング情報を利用することである、前記少なくとも１つのプロセッサに結合されたメモリと、を備える、ワイヤレス通信装置。
［６８］  ＵＥのグループのアンテナポートへの少なくとも１つの物理送信アンテナに関係する前記マッピング情報を受信し、前記物理送信アンテナのチャネルを推定するように構成された少なくとも１つのプロセッサをさらに備える、［６７］に記載のワイヤレス通信装置。
［６９］  送信アンテナポートの各々に対応するチャネルを推定するように構成された少なくとも１つのプロセッサをさらに備える、［６７］に記載のワイヤレス通信装置。
［７０］  前記線形結合は、巡回遅延ダイバーシティ（ＣＤＤ）である、［６７］に記載のワイヤレス通信装置。
［７１］  測定、基地局へのフィードバック、または復調技法のうちの少なくとも１つのためにＵＥの第１のグループのアンテナポートのための送信された基準信号を利用し、測定および基地局へのフィードバックのためにＵＥの第２のグループのアンテナポートのための送信された基準信号を利用する、ように構成された少なくとも１つのプロセッサと、前記少なくとも１つのプロセッサに結合されたメモリと、を備える、ワイヤレス通信装置。
［７２］  前記フィードバックは、チャネル品質、プリコーディング行列、ランク情報、またはチャネル指向性情報のうちの少なくとも１つを備える、［７１］に記載のワイヤレス通信装置。
［７３］  ワイヤレス通信環境においてアンテナポートのセットを識別するワイヤレス通信装置であって、アンテナポートの前記セットに関係する基準信号を送信するために採用される遅延および線形結合のうちの少なくとも１つを含むマッピング情報を受信するための手段と、前記アンテナポートに関係する基準信号を受信するための手段と、各アンテナポートを識別するためにアンテナポートの前記セットに関係する前記基準信号を復号するための手段と、を備え、前記復号することは、前記マッピング情報を利用することである、ワイヤレス通信装置。
［７４］  ＵＥのグループのアンテナポートへの少なくとも１つの物理送信アンテナに関係する前記マッピング情報を受信するための手段と、前記物理送信アンテナのチャネルを推定するための手段と、をさらに備える、請求項７３］に記載のワイヤレス通信装置。
［７５］  送信アンテナポートの各々に対応するチャネルを推定するための手段をさらに備える、［７３］に記載のワイヤレス通信装置。
［７６］  前記線形結合は、巡回遅延ダイバーシティ（ＣＤＤ）である、［７３］に記載のワイヤレス通信装置。
［７７］  測定、基地局へのフィードバック、または復調技法のうちの少なくとも１つのためにＵＥの第１のグループのアンテナポートのための送信された基準信号を利用するための手段と、測定および基地局へのフィードバックのためにＵＥの第２のグループのアンテナポートのための送信された基準信号を利用するための手段と、を備える、ワイヤレス通信環境内のワイヤレス通信装置。
［７８］  前記フィードバックは、チャネル品質、プリコーディング行列、ランク情報、またはチャネル指向性情報のうちの少なくとも１つを備える、［７７］に記載のワイヤレス通信装置。
［７９］  コンピュータ可読媒体を備えるコンピュータプログラム製品であって、前記コンピュータ可読媒体は、少なくとも１つのコンピュータに、アンテナポートのセットに関係する基準信号を送信するために採用される遅延および線形結合のうちの少なくとも１つを含むマッピング情報を受信させるためのコードと、少なくとも１つのコンピュータに、前記アンテナポートに関係する基準信号を受信させるためのコードと、少なくとも１つのコンピュータに、各アンテナポートを識別するためにアンテナポートの前記セットに関係する前記基準信号を復号させるためのコードと、を備え、前記復号することは、前記マッピング情報を利用することである、  コンピュータプログラム製品。
［８０］  少なくとも１つのコンピュータに、ＵＥのグループのアンテナポートへの少なくとも１つの物理送信アンテナに関係する前記マッピング情報を受信させるためのコードと、少なくとも１つのコンピュータに、前記物理送信アンテナのチャネルを推定させるためのコードと、を備える前記コンピュータ可読媒体をさらに備える、［７９］に記載のコンピュータプログラム製品。
［８１］  少なくとも１つのコンピュータに、送信アンテナポートの各々に対応するチャネルを推定させるためのコードを備える前記コンピュータ可読媒体をさらに備える、［７９］に記載のコンピュータプログラム製品。
［８２］  前記線形結合は、巡回遅延ダイバーシティ（ＣＤＤ）である、［７９］に記載のコンピュータプログラム製品。
［８３］  コンピュータ可読媒体を備えるコンピュータプログラム製品であって、前記コンピュータ可読媒体は、少なくとも１つのコンピュータに、測定、基地局へのフィードバック、または復調技法のうちの少なくとも１つのためにＵＥの第１のグループのアンテナポートのための送信された基準信号を利用させるためのコードと、少なくとも１つのコンピュータに、測定および基地局へのフィードバックのためにＵＥの第２のグループのアンテナポートのための送信された基準信号を利用させるためのコードと、を備える、コンピュータプログラム製品。
［８４］  前記フィードバックは、チャネル品質、プリコーディング行列、ランク情報、またはチャネル指向性情報のうちの少なくとも１つを備える、［８３］に記載のコンピュータプログラム製品。
［８５］  ユーザ機器（ＵＥ）の少なくとも２つのグループを識別することと、ＵＥの特定のグループに対応するＵＥ固有のアンテナポートを作成することと、ＵＥの少なくとも１つの特定のグループに割り当てられた物理ダウンリンク共有チャネル（ＰＤＳＣＨ）領域中で、前記ＵＥ固有のアンテナポートに関係する少なくとも１つの基準信号を送信することと、ＰＤＳＣＨをＵＥの前記特定のグループに送信するためのビームを作成するために、ＵＥの異種グループのために規定されたそれぞれのアンテナポートとともに前記ＵＥ固有のアンテナポートを採用することと、前記ＵＥ固有のアンテナポートまたは異種アンテナポートのうちの少なくとも１つに関係する基準信号、あるいは前記基準信号をＰＤＳＣＨの送信のために使用されるビーム方向に関係づけるマッピング情報、のうちの少なくとも１つに基づいて、前記アンテナポートからのチャネルを推定することと、を備える、ワイヤレス通信システムにおいて使用される方法。
［８６］  前記作成されたＵＥ固有のアンテナポートは、経時的に動的に作成され、前記ＵＥからのフィードバックに基づくことができる、［８５］に記載の方法。
［８７］  ｅノードＢは、アンテナポートとＰＤＳＣＨ用に使用される送信ビームとのマッピングに関係する情報を前記ＵＥに与える、［８５］に記載の方法。
［８８］  ＵＥ固有のアンテナポートのみがデータ送信のために使用され、ＵＥ固有のアンテナポートからビーム方向へのマッピングが固定される、［８５］に記載の方法。
［８９］  ユーザ機器（ＵＥ）の少なくとも２つのグループを識別し、ＵＥの特定のグループに対応するＵＥ固有のアンテナポートを作成し、ＵＥの少なくとも１つ固有のグループに割り当てられた物理ダウンリンク共有チャネル（ＰＤＳＣＨ）領域中で、前記ＵＥ固有のアンテナポートに関係する少なくとも１つの基準信号を送信し、ＰＤＳＣＨをＵＥの前記特定のグループに送信するためのビームを作成するために、ＵＥの異種グループのために規定されたそれぞれのアンテナポートとともに前記ＵＥ固有のアンテナポートを採用し、前記ＵＥ固有のアンテナポートまたは異種アンテナポートのうちの少なくとも１つに関係する基準信号、あるいは前記基準信号をＰＤＳＣＨの送信のために使用されるビーム方向に関係づけるマッピング情報、のうちの少なくとも１つに基づいて、前記アンテナポートからのチャネルを推定する、ように構成された少なくとも１つのプロセッサと、
前記少なくとも１つのプロセッサに結合されたメモリと、を備える、ワイヤレス通信装置。
［９０］  前記作成されたＵＥ固有のアンテナポートが経時的に動的に作成され、前記ＵＥからのフィードバックに基づくことができる、［８９］に記載のワイヤレス通信装置。
［９１］  ｅノードＢは、アンテナポートとＰＤＳＣＨ用に使用される送信ビームとのマッピングに関係する情報を前記ＵＥに与える、［８９］に記載のワイヤレス通信装置。
［９２］  ＵＥ固有のアンテナポートのみがデータ送信のために使用され、ＵＥ固有のアンテナポートからビーム方向へのマッピングが固定される、［８９］に記載のワイヤレス通信装置。
［９３］  ユーザ機器（ＵＥ）の少なくとも２つのグループを識別するための手段と、ＵＥの特定のグループに対応するＵＥ固有のアンテナポートを作成するための手段と、ＵＥの少なくとも１つの特定のグループに割り当てられた物理ダウンリンク共有チャネル（ＰＤＳＣＨ）領域中で、前記ＵＥ固有のアンテナポートに関係する少なくとも１つの基準信号を送信するための手段と、ＰＤＳＣＨをＵＥの前記特定のグループに送信するためのビームを作成するために、ＵＥの異種グループのために規定されたそれぞれのアンテナポートとともに前記ＵＥ固有のアンテナポートを採用するための手段と、前記ＵＥ固有のアンテナポートまたは異種アンテナポートのうちの少なくとも１つに関係する基準信号、あるいは前記基準信号をＰＤＳＣＨの送信のために使用されるビーム方向に関係づけるマッピング情報、のうちの少なくとも１つに基づいて、前記アンテナポートからのチャネルを推定するための手段と、を備える、ワイヤレス通信環境内のワイヤレス通信装置。
［９４］  前記作成されたＵＥ固有のアンテナポートは、経時的に動的に作成され、前記ＵＥからのフィードバックに基づくことができる、［９３］に記載のワイヤレス通信装置。
［９５］  ｅノードＢは、アンテナポートとＰＤＳＣＨ用に使用される送信ビームとのマッピングに関係する情報を前記ＵＥに与える、［９３］に記載のワイヤレス通信装置。
［９６］  ＵＥ固有のアンテナポートのみがデータ送信のために使用され、ＵＥ固有のアンテナポートからビーム方向へのマッピングが固定される、［９３］に記載のワイヤレス通信装置。
［９７］  コンピュータ可読媒体を備えるコンピュータプログラム製品であって、前記コンピュータ可読媒体は、少なくとも１つのコンピュータに、ユーザ機器（ＵＥ）の少なくとも２つのグループを識別させるためのコードと、少なくとも１つのコンピュータに、ＵＥの特定のグループに対応するＵＥ固有のアンテナポートを作成させるためのコードと、少なくとも１つのコンピュータに、ＵＥの少なくとも１つの特定のグループに割り当てられた物理ダウンリンク共有チャネル（ＰＤＳＣＨ）領域中で、前記ＵＥ固有のアンテナポートに関係する少なくとも１つの基準信号を送信させるためのコードと、少なくとも１つのコンピュータに、ＰＤＳＣＨをＵＥの前記特定のグループに送信するためのビームを作成するために、ＵＥの異種グループのために規定されたそれぞれのアンテナポートとともに前記ＵＥ固有のアンテナポートを採用させるためのコードと、少なくとも１つのコンピュータに、前記ＵＥ固有のアンテナポートまたは異種アンテナポートのうちの少なくとも１つに関係する基準信号、あるいは前記基準信号をＰＤＳＣＨの送信のために使用されるビーム方向に関係づけるマッピング情報、のうちの少なくとも１つに基づいて、前記アンテナポートからのチャネルを推定させるためのコードと、を備える、コンピュータプログラム製品。
［９８］  前記作成されたＵＥ固有のアンテナポートは、経時的に動的に作成され、前記ＵＥからのフィードバックに基づくことができる、［９７］に記載のコンピュータプログラム製品。
［９９］  ｅノードＢは、アンテナポートとＰＤＳＣＨ用に使用される送信ビームとのマッピングに関係する情報を前記ＵＥに与える、［９７］に記載のコンピュータプログラム製品。
［１００］  ＵＥ固有のアンテナポートのみがデータ送信のために使用され、ＵＥ固有のアンテナポートからビーム方向へのマッピングが固定される、［９７］に記載のコンピュータプログラム製品。
【図１】
0005635000.tif 000002
【図２】
0005635000.tif 000003
【図３】
0005635000.tif 000004
【図４】
0005635000.tif 000005
【図５】
0005635000.tif 000006
【図６】
0005635000.tif 000007
【図７】
0005635000.tif 000008
【図８】
0005635000.tif 000009
【図９】
0005635000.tif 000010
【図１０】
0005635000.tif 000011
【図１１】
0005635000.tif 000012